(57)【特許請求の範囲】
【請求項１】
ホログラム記録媒体に対する記録再生を行う記録再生装置として、
所定位置にセットされた媒体に対して照射されるべき光を発光する発光手段と、
入射光について画素単位による光強度変調を施す空間光変調手段と、
入射光を画素単位により受光して電気信号に変換するイメージセンサと、
上記発光手段により発光された光を上記空間光変調手段を介して上記媒体に対して導くと共に、上記発光手段の発光に基づき上記媒体から発せられる光を上記イメージセンサに対して導くように構成された光学系と、
上記発光手段と上記空間光変調手段との間の光路中に設けられ、上記空間光変調手段への入射光角度を変化させることで、上記イメージセンサに入射する像の位置を移動させる像位置移動手段と、
判定手段とを備えると共に、
上記判定手段は、
上記発光手段をオンとさせた状態で上記空間光変調手段の各画素でそれぞれ光強度として強／弱の変調をかけるように制御すると共に、これら強／弱の変調時に対応して上記イメージセンサの各画素で得られた検出値として、それぞれ光強度「強／弱」を示す値が得られたか否かについて判別し、
その結果、上記検出値が「強／弱」を示す値とはならず欠陥があると判定した画素のうち、光強度「強／強」を示す値が得られた欠陥画素について、さらに上記発光手段をオフとさせたときに得られた検出値を取得し、この検出値を含めた検出値パターンとして光強度「強／強／弱」を示す検出値パターンが得られたか否かを判別した結果に基づき、その欠陥画素と同一光軸上で生じている欠陥が上記空間光変調手段における画素欠陥であると判定すると共に、
上記光強度の強／弱の変調に対する検出値と上記発光手段をオフとしたときの検出値とを含めた検出値パターンが「強／強／強」を示す値となる第１の欠陥画素と、「弱／弱／弱」を示す値となる第２の欠陥画素とについて、その画素と同一光軸上に発生している可能性のある、上記空間光変調手段の画素欠陥の像と上記光学系にて生じ得る像欠陥の各像とが上記イメージセンサ上の正常画素に入射し、且つそれらの像が上記イメージセンサ上の同一画素に重ならないように入射し、且つそれらの像が同一光軸上で重ならないように上記イメージセンサに入射するように、各像の上記イメージセンサ上の入射位置が移動されるように上記像位置移動手段を制御した上で、  
上記第１の欠陥画素については、その画素と同一光軸上に発生している可能のあった上記空間光変調手段の画素欠陥の像、上記光学系における像欠陥のうち上記媒体よりも上記発光手段側となる位置に発生する記録側の像欠陥の像がそれぞれ入射される上記イメージセンサ上の画素において、上記発光手段をオンとさせた状態で上記空間光変調手段にて光強度変調をかけさせたときに得られる検出値を取得し、その検出値に基づき、上記第１の欠陥画素と同一光軸上において上記空間光変調手段の画素欠陥があったか否か、及び上記記録側の像欠陥があったか否かについて判定を行うと共に、
上記第２の欠陥画素については、当該第２の欠陥画素と、当該第２の欠陥画素と同一光軸上に発生している可能のあった上記空間光変調手段の画素欠陥の像、上記光学系における像欠陥のうち上記媒体よりも上記発光手段側となる位置に発生する記録側の像欠陥の像、上記光学系における像欠陥のうち上記媒体よりも上記イメージセンサ側となる位置に発生する再生側の像欠陥の像がそれぞれ入射される上記イメージセンサ上の画素とにおいて、上記発光手段をオンとさせた状態で上記空間光変調手段にて光強度変調をかけさせたときに得られる検出値を取得し、その検出値に基づき、上記第２の欠陥画素と同一光軸上において上記空間光変調手段の画素欠陥があったか否か、上記記録側の像欠陥があったか否か、上記再生側の像欠陥があったか否か、及び上記イメージセンサの画素欠陥があったか否かについてそれぞれ判定を行う
記録再生装置。
【請求項２】
上記像位置移動手段はチルトミラーで構成される請求項１に記載の記録再生装置。
【請求項３】
所定位置にセットされた媒体に対して照射されるべき光を発光する発光手段と、入射光について画素単位による光強度変調を施す空間光変調手段と、入射光を画素単位により受光して電気信号に変換するイメージセンサと、上記発光手段により発光された光を上記空間光変調手段を介して上記媒体に対して導くと共に上記発光手段の発光に基づき上記媒体から発せられる光を上記イメージセンサに対して導くように構成された光学系と、上記発光手段と上記空間光変調手段との間の光路中に設けられ、上記空間光変調手段への入射光角度を変化させることで、上記イメージセンサに入射する像の位置を移動させる像位置移動手段と、を備えてホログラム記録媒体に対する記録再生を行うようにされた記録再生装置における欠陥判定方法として、
上記発光手段をオンとさせた状態で上記空間光変調手段の各画素でそれぞれ光強度として強／弱の変調をかけるように制御すると共に、これら強／弱の変調時に対応して上記イメージセンサの各画素で得られた検出値として、それぞれ光強度「強／弱」を示す値が得られたか否かについて判別し、
その結果、上記検出値が「強／弱」を示す値とはならず欠陥があると判定した画素のうち、光強度「強／強」を示す値が得られた欠陥画素について、さらに上記発光手段をオフとさせたときに得られた検出値を取得し、この検出値を含めた検出値パターンとして光強度「強／強／弱」を示す検出値パターンが得られたか否かを判別した結果に基づき、その欠陥画素と同一光軸上で生じている欠陥が上記空間光変調手段における画素欠陥であると判定すると共に、
上記光強度の強／弱の変調に対する検出値と上記発光手段をオフとしたときの検出値とを含めた検出値パターンが「強／強／強」を示す値となる第１の欠陥画素と、「弱／弱／弱」を示す値となる第２の欠陥画素とについて、その画素と同一光軸上に発生している可能性のある、上記空間光変調手段の画素欠陥の像と上記光学系にて生じ得る像欠陥の各像とが上記イメージセンサ上の正常画素に入射し、且つそれらの像が上記イメージセンサ上の同一画素に重ならないように入射し、且つそれらの像が同一光軸上で重ならないように上記イメージセンサに入射するように、各像の上記イメージセンサ上の入射位置が移動されるように上記像位置移動手段を制御した上で、  
上記第１の欠陥画素については、その画素と同一光軸上に発生している可能のあった上記空間光変調手段の画素欠陥の像、上記光学系における像欠陥のうち上記媒体よりも上記発光手段側となる位置に発生する記録側の像欠陥の像がそれぞれ入射される上記イメージセンサ上の画素において、上記発光手段をオンとさせた状態で上記空間光変調手段にて光強度変調をかけさせたときに得られる検出値を取得し、その検出値に基づき、上記第１の欠陥画素と同一光軸上において上記空間光変調手段の画素欠陥があったか否か、及び上記記録側の像欠陥があったか否かについて判定を行うと共に、
上記第２の欠陥画素については、当該第２の欠陥画素と、当該第２の欠陥画素と同一光軸上に発生している可能のあった上記空間光変調手段の画素欠陥の像、上記光学系における像欠陥のうち上記媒体よりも上記発光手段側となる位置に発生する記録側の像欠陥の像、上記光学系における像欠陥のうち上記媒体よりも上記イメージセンサ側となる位置に発生する再生側の像欠陥の像がそれぞれ入射される上記イメージセンサ上の画素とにおいて、上記発光手段をオンとさせた状態で上記空間光変調手段にて光強度変調をかけさせたときに得られる検出値を取得し、その検出値に基づき、上記第２の欠陥画素と同一光軸上において上記空間光変調手段の画素欠陥があったか否か、上記記録側の像欠陥があったか否か、上記再生側の像欠陥があったか否か、及び上記イメージセンサの画素欠陥があったか否かについてそれぞれ判定を行う
欠陥判定方法。
【発明の詳細な説明】
【技術分野】
【０００１】
本発明は、ホログラム記録媒体に対する記録再生が可能な記録再生装置と、少なくとも光路中に生じる欠陥の有無についての判定を行う欠陥判定方法に関する。
【背景技術】
【０００２】
ホログラム記録再生方式において、特に光ストレージ系の分野におけるホログラム記録再生方式の場合などでは、光強度変調として例えば液晶パネルやＤＭＤ（Digital Micro mirror Device）などのＳＬＭ（空間光変調器）が使用され、信号光にbit１（例えば光強度＝強）、bit0（例えば光強度＝弱）のパターン配列が得られるような強度変調をかけるようにされる。このように記録データに応じて変調された信号光は、別途照射される参照光と呼ばれる光と共にホログラム記録媒体に対して照射される。これにより、これら信号光と参照光との干渉縞がデータとしてホログラム記録媒体に記録される。
また、データの再生時においては、ホログラム記録媒体に対して上記参照光のみを照射することで、上記干渉縞に応じた回折光を得るようにされ、この回折光に応じた像を例えばＣＣＤ（Charge Coupled Device）センサやＣＭＯＳ（Complementary Oxide Semiconductor）センサに代表されるイメージセンサ上に結像させ、画像検出を行う。このように検出される画像データに基づき、再生データを得るようにされる。
【０００３】
なお、関連する従来技術については以下の文献を挙げることができる。
【非特許文献１】日経エレクトロニクス２００５年１月１７日号Ｐ１０６〜１１４
【発明の開示】
【発明が解決しようとする課題】
【０００４】
ここで、従来では上記手法がホログラム記録再生方式として一般的に知られているが、このような手法が採られる場合、主としては以下の要素が信号品質（SNRやエラーレート）に大きな影響を与えることになる。 
a)  ＳＬＭ（光空間変調器）の画素欠陥
b)  イメージセンサの画素欠陥
c)  光学系起因の像欠陥
d)  メディア性能（記録感度のバラツキ、回折効率など） 
e)  光学系性能（収差による記録再生像のムラ、迷光の検出系への漏れこみによる信号品質の悪化など）
これらのうち、特にa)〜c)の要素は、記録再生時の信号品質に大きな影響を与え、SNRやエラーレートの定常的な悪化要因となり得る。すなわち、ａ)は記録データの欠落を意味し、同様にb)は再生データの欠落を意味するからである。またc)については、光路中のレンズ等に付着した粉塵などに起因して生じるものであるが、このようにして生じた像欠陥は、信号品質に直接的に悪影響を与える可能性が高いものとなる。
【０００５】
しかしながら従来のホログラム記録再生方式においては、上記のような画素欠陥や記録再生時の像欠陥を管理する明確な技術、手法が存在しなかった。このため、これらの欠陥を管理して記録再生時のSNR、エラーレートの定常的な悪化低減を図ることが要請されている。
【課題を解決するための手段】
【０００６】
そこで、本発明では以上のような問題点に鑑み、記録再生装置として以下のようにすることとした。
つまり、ホログラム記録媒体に対する記録再生を行う記録再生装置として、先ず所定位置にセットされた媒体に対して照射されるべき光を発光する発光手段を備える。
また、入射光について画素単位による光強度変調を施す空間光変調手段と、入射光を画素単位により受光して電気信号に変換するイメージセンサとを備える。
また、上記発光手段により発光された光を上記空間光変調手段を介して上記媒体に対して導くと共に、上記発光手段の発光に基づき上記媒体から発せられる光を上記イメージセンサに対して導くように構成された光学系を備える。
また、上記発光手段と上記空間光変調手段との間の光路中に設けられ、上記空間光変調手段への入射光角度を変化させることで、上記イメージセンサに入射する像の位置を移動させる像位置移動手段を備える。
さらに、判定手段を備える。
そして、上記判定手段が、
上記発光手段をオンとさせた状態で上記空間光変調手段の各画素でそれぞれ光強度として強／弱の変調をかけるように制御すると共に、これら強／弱の変調時に対応して上記イメージセンサの各画素で得られた検出値として、それぞれ光強度「強／弱」を示す値が得られたか否かについて判別し、
その結果、上記検出値が「強／弱」を示す値とはならず欠陥があると判定した画素のうち、光強度「強／強」を示す値が得られた欠陥画素について、さらに上記発光手段をオフとさせたときに得られた検出値を取得し、この検出値を含めた検出値パターンとして光強度「強／強／弱」を示す検出値パターンが得られたか否かを判別した結果に基づき、その欠陥画素と同一光軸上で生じている欠陥が上記空間光変調手段における画素欠陥であると判定すると共に、
上記光強度の強／弱の変調に対する検出値と上記発光手段をオフとしたときの検出値とを含めた検出値パターンが「強／強／強」を示す値となる第１の欠陥画素と、「弱／弱／弱」を示す値となる第２の欠陥画素とについて、その画素と同一光軸上に発生している可能性のある、上記空間光変調手段の画素欠陥の像と上記光学系にて生じ得る像欠陥の各像とが上記イメージセンサ上の正常画素に入射し、且つそれらの像が上記イメージセンサ上の同一画素に重ならないように入射し、且つそれらの像が同一光軸上で重ならないように上記イメージセンサに入射するように、各像の上記イメージセンサ上の入射位置が移動されるように上記像位置移動手段を制御した上で、  
上記第１の欠陥画素については、その画素と同一光軸上に発生している可能のあった上記空間光変調手段の画素欠陥の像、上記光学系における像欠陥のうち上記媒体よりも上記発光手段側となる位置に発生する記録側の像欠陥の像がそれぞれ入射される上記イメージセンサ上の画素において、上記発光手段をオンとさせた状態で上記空間光変調手段にて光強度変調をかけさせたときに得られる検出値を取得し、その検出値に基づき、上記第１の欠陥画素と同一光軸上において上記空間光変調手段の画素欠陥があったか否か、及び上記記録側の像欠陥があったか否かについて判定を行うと共に、
上記第２の欠陥画素については、当該第２の欠陥画素と、当該第２の欠陥画素と同一光軸上に発生している可能のあった上記空間光変調手段の画素欠陥の像、上記光学系における像欠陥のうち上記媒体よりも上記発光手段側となる位置に発生する記録側の像欠陥の像、上記光学系における像欠陥のうち上記媒体よりも上記イメージセンサ側となる位置に発生する再生側の像欠陥の像がそれぞれ入射される上記イメージセンサ上の画素とにおいて、上記発光手段をオンとさせた状態で上記空間光変調手段にて光強度変調をかけさせたときに得られる検出値を取得し、その検出値に基づき、上記第２の欠陥画素と同一光軸上において上記空間光変調手段の画素欠陥があったか否か、上記記録側の像欠陥があったか否か、上記再生側の像欠陥があったか否か、及び上記イメージセンサの画素欠陥があったか否かについてそれぞれ判定を行うものである。
【０００７】
ここで、実際の欠陥として、上記空間光変調手段においては、指定されたbit値とは反転した値で変調が行われてしまうような欠陥は生じ得ないものとなる。また、上記イメージセンサにおいても、実際のbit値と検出値とが反転してしまうという欠陥は生じ得ないものとなる。
これによると、空間光変調手段における光強度の強／弱の変調（例えばbit１＝強、bit０＝弱とする）に対するイメージセンサ上での検出値として、bit１（強）の変調時に検出値がbit１（光強度＝強）、bit０の変調時には検出値もbit０（光強度＝弱）であれば、空間光変調手段及びイメージセンサの各画素が正常に動作しており、且つ光学系にもゴミ等の付着に依る像欠陥が発生していないことが判定できる。すなわち、このことから上記本発明のように空間光変調手段による強／弱の変調に対して得られるイメージセンサの検出値が「強／弱」を示す値となっているか否かを判別することで、光路中に生じる欠陥の有無について判定を行うことができる。
【発明の効果】
【０００８】
このようにして本発明によれば、記録／再生性能の悪化の要因となる光路中に生じる欠陥の有無について判定を行うことができる。
さらに本発明によれば、欠陥があるとされたすべての画素について、その画素と同一光軸上に生じている欠陥が再生側のみの欠陥であるか、記録側のみの欠陥であるか、記録側と再生側の双方の欠陥であるかを判定することができる。
【発明を実施するための最良の形態】
【０００９】
以下、発明を実施するための最良の形態（以下実施の形態とする）について説明していく。なお、説明は以下の順で行う。
１．ホログラム記録再生方式
２．欠陥判定の必要性
３．実施の形態としての記録再生装置
３−１．記録再生装置の構成
３−２．実施の形態としての欠陥判定
４．処理動作
５．変形例
【００１０】
１．ホログラム記録再生方式
先ずは、本実施の形態としての記録再生装置（後述する記録再生装置１）について説明するに先立ち、本実施の形態としての記録再生装置が採用するホログラム記録再生方式について説明する。
図１は、このような実施の形態としてのホログラム記録再生方式と同様の方式を採る従来の記録再生装置５０の基本構成を示している。なお、この図１においては主に光学系の構成についてのみ示し、他の部分は省略して示している。
【００１１】
本実施の形態で採用するホログラム記録再生方式としては、信号光と参照光とを同一軸上に配置し、ホログラム記録媒体５へのデータ記録を行うようにされる。 
その具体的構成として、先ずこの図に示す記録再生装置５０では、記録再生のための光源としてレーザダイオードＬＤを備えるようにされる。このレーザダイオードＬＤは所謂シングルモードレーザであり、所定の１種の波長によるレーザ光を出力する。
【００１２】
レーザダイオードＬＤからの出射光はコリメータレンズ２を透過して平行光に変換されてＳＬＭ（空間光変調器）３に導かれる。このＳＬＭ３としては、例えば透過型の液晶パネルを備えたものとされる。
記録時においては、このＳＬＭ３において記録データに応じた変調が行われ、このように変調を受けた平行光は対物レンズ４を透過することで収束光とされ、図示するようにして所定位置にセットされたホログラム記録媒体５に集光するようにされる。
【００１３】
また、再生時においては、上記の経路によりレーザダイオードＬＤからの光がホログラム記録媒体５に照射されることで、記録データに応じた回折光が得られる。この回折光は対物レンズ６を介して平行光とされた後、エキスパンダレンズ７を介して例えばＣＣＤ（Charge Coupled Device）センサやＣＭＯＳ（Complementary Oxide Semiconductor）センサなどによるイメージセンサ８上に結像される。
【００１４】
なお、この図ではホログラム記録媒体５に対してレーザ光を透過してデータ再生を行う透過型による光学系を備える場合を示しているが、反射膜を備えるホログラム記録媒体に対応した反射型の光学系とすることも可能である。詳細は後述するが、このように反射型の構成を採る場合は、ホログラム記録媒体にレーザ光を照射した結果得られる反射光による回折光を、イメージセンサ８側に分岐して導くための偏光ビームスプリッタ等が別途備えられることになる。
【００１５】
図２は、図１に示した記録再生装置５０によるホログラム記録媒体５へのデータの記録手法ついて説明するための図である。この図では、図１に示したＳＬＭ３、対物レンズ４、ホログラム記録媒体５と、コリメータレンズ２より出射されＳＬＭ３へ入射する平行光（入射光）、ＳＬＭ３による変調後に得られる光、及び対物レンズ４からホログラム記録媒体５に照射される光の様子を模式的に示している。
この図２に示されるように、この場合の記録手法では、先ずＳＬＭ３において、コリメータレンズ２からの入射光に対し、上述した参照光と、「０」「１」のデータ配列が形成された光（以下信号光と呼ぶ）とが同心円上に配置されるようにするための強度変調を行うようにされる。この強度変調された光を、対物レンズ４によりホログラム記録媒体５上に集光し、これにより形成される参照光と信号光の干渉縞をデータとしてホログラム記録媒体５上に記録するようにされる。
【００１６】
また、図３は、記録再生装置５０によるホログラム記録媒体５の再生手法について説明するための図である。この図３においては、図１に示したＳＬＭ３、対物レンズ４、ホログラム記録媒体５、対物レンズ６、イメージセンサ８と、コリメータレンズ２より出射されＳＬＭ３へ入射する平行光（入射光）、ＳＬＭ３による変調後に得られる光、及び対物レンズ４からホログラム記録媒体５に照射される光、ホログラム記録媒体５から発せられる回折光の様子を模式的に示している。
【００１７】
図３において、再生時には、コリメータレンズ２からの入射光をＳＬＭ３で参照光パターンのみが出力されるように強度変調を行い、ホログラム記録媒体５に集光する。その際、集光した光は、ホログラム記録媒体５に記録されたデータパターンに応じた干渉縞により回折を受け、ホログラム記録媒体５を透過するようにして出力される。すなわち、この回折光は、図示するようにして記録データを反映した強度変調パターンを有しており、この回折光の有する強度変調パターンをイメージセンサ８で検出した結果に基づき、データ再生を行うようにされる。
【００１８】
また、再生手法としては、次の図４に示されるようなオーバーサンプリング処理を行うこともできる。
このオーバーサンプリング処理では、上述のようにしてホログラム記録媒体５から出力され、対物レンズ６を透過した回折光を、図１にも示したエキスパンダレンズ７により拡大してイメージセンサ８に結像させる。すなわち、このオーバーサンプリングの手法は、回折光に含まれる１bit相当の像をイメージセンサ８上の複数の画素で検出し、それらの検出値を平均化した結果に基づき１bit相当のデータを再生するものである。
【００１９】
２．欠陥判定の必要性
ここで、これまでで説明したようなホログラム記録再生方式が採用される場合には、先にも述べたように、
a)  ＳＬＭ（光空間変調器）の画素欠陥
b)  イメージセンサの画素欠陥
c)  光学系起因の像欠陥
の各要因が、特に記録再生時の信号品質に大きな影響を与え、SNRやエラーレートの定常的な悪化要因となり得る。
以下では、図５〜図８を用い、具体的にこれらの要因が信号品質に与える影響について検証してみる。
【００２０】
先ず図５を参照し、a)のＳＬＭの画素欠陥が与える影響について説明する。この図５では、ＳＬＭ３に生じた画素欠陥と、ＳＬＭ３への入射光、ＳＬＭ３での変調後に得られる光の様子を模式的に示している。
この図に示されるようにＳＬＭ３の画素に欠陥が生じた場合、その欠陥画素の位置が記録時における信号光の照射範囲内とされるときは、信号光側の欠陥となり、これによって記録データの欠落を招く。
一方で、欠陥画素の位置が記録時の参照光の照射範囲内となる場合は、記録データの欠落とはならないが、記録特性に悪影響を及ぼす可能性はないとは言えない。
また、さらに本実施の形態では、再生時において、先の図３に示したように記録時と同じ光路を利用してホログラム記録媒体５に再生時の参照光を照射するようにされる。従ってこのように欠陥画素位置が参照光部分と被る場合には、再生特性の悪化も懸念される。
但し、参照光側の画素欠陥は、信号光の画素欠陥に比べて直接的に記録再生bitの欠落につながるわけではないので、例えば数画素程度のまばらな欠陥については以下では考慮しないものとする。 
【００２１】
次に図６は、b)のイメージセンサの画素欠陥が与える影響について説明するための図であり、ホログラム記録媒体５からの回折光とイメージセンサ８上の画素欠陥、及びイメージセンサ８で得られる検出パターンの様子を模式的に示している。
この図に示されているようにイメージセンサ８上の欠陥画素の位置が回折光の結像範囲内となる場合は、再生時のデータの欠落となることがわかる。
なお、再生時において先の図４にて説明したオーバーサンプリング処理を行う場合については後述する。 
【００２２】
さらに、図７は、c)の光学系起因の像欠陥が与える影響について説明するための図であり、図１に示した光学系の構成を示している。
この光学系起因の像欠陥としては、粉塵等の付着による像の欠落を挙げることができる。そしてその影響としては、どの部分で粉塵等が付着したか、すなわちどの部分で像が欠落するかによって場合分けが発生する。
例えば図中Ｇwのように、対物レンズ４に付着した粉塵等による像の欠落があった場合、ＳＬＭ３にて変調された信号光に影響を及ぼす可能性がある。すなわち、例えば対物レンズ４において粉塵等が図８（ａ）の■印で示す位置に像欠陥を生じさせた場合は、ＳＬＭ３での変調後の信号光部分に欠陥を生じさせ、これによって記録時の信号光にコントラストの低下あるいはデータの欠落を引き起こす。すなわち、記録データの欠落を引き起こす可能性がある。
このようにして記録データの欠落となった場合は、a)のＳＬＭの画素欠陥と等価な状態となる。
【００２３】
一方で、図７中のＧrと示すように、エキスパンダレンズ７に付着した粉塵等による像の欠落があった場合は、再生時の信号光に影響を及ぼす可能性がある。つまり、例えばエキスパンダレンズ７において、粉塵等が図８（ｂ）中の■印で示す位置に像欠陥を生じさせた場合、ホログラム記録媒体５に照射される参照光には影響はないが、回折光としての信号光にコントラストの低下あるいはデータの欠落を引き起こす。つまり、再生データの欠落を引き起こす可能性がある。
この場合においてデータの欠落となったときには、b)のイメージセンサの画素欠陥と等価な状態となる。
【００２４】
このようにして上述のa)〜c)の要因により記録／再生データの欠落が生じる場合がある。先にも述べたように、これらの要因がSNRやエラーレートの定常的な悪化要因となり得るものであるから、少なくともこれらの要因に伴う異常の有無を検知することが、SNRやエラーレートの定常的な悪化要因（つまり信号品質の定常的な悪化要因）を低減させる上で先ず第１に必要となる。
【００２５】
また、その上で、ホログラム記録媒体５が着脱可能な記録媒体であることを考慮すれば、発生した欠陥が記録側での欠陥であるか、再生側での欠陥であるかを切り分けることが肝要となる。
すなわち、記録側の欠陥として、a)のＳＬＭの画素欠陥が生じた場合と、c)の光学系起因の像欠陥としてＧwと示したようなＳＬＭ画素欠陥と等価となる像欠陥が生じた場合については、再生側の欠陥がなければ、他の正常な光学系を有する記録再生装置によりデータ記録が行われたホログラム記録媒体５については、これを正常に再生することができる。
逆に、再生側の欠陥としてb)のイメージセンサの画素欠陥が生じた場合、c)の光学系起因の像欠陥としてＧrと示したようなイメージセンサの画素欠陥と等価となる像欠陥が生じた場合については、記録系が正常であれば、ホログラム記録媒体５に対し正常にデータ記録を行うことはでき、これを他の正常な再生光学系を有する記録再生装置にて再生することができる。
さらには、記録・再生の双方で欠陥が生じている場合も考えられ、その場合は例えば記録及び再生の双方を制限するなどの対策が考えられる。
これらのことより、生じた欠陥が記録側のものであるか、再生側のものであるか、又はその両者であるかの違いにより、その対応の仕方も変わってくることがわかる。この点で、生じている欠陥が記録側での欠陥であるか、再生側での欠陥であるか、又は記録側及び再生側の双方の欠陥であるかの判定をできるようにすることが、第２に肝要となる。
【００２６】
さらには、欠陥のある画素を特定できれば、その画素を使用しないという対策を採ることもできる。つまり、記録時においては、欠陥画素とされた画素を使用せず、例えばその欠陥画素位置に記録されるべき値を別の正常な画素（交替画素）を用いて記録すると共に、これら欠陥画素と交替画素との対応づけを示す情報（対応情報）をホログラム記録媒体５に記録しておくようにする。これに応じ再生時には、ホログラム記録媒体５に記録された上記対応情報に基づき、欠陥画素の値を交替画素の位置から読み出すことができ、これによって通常通りデータ再生を行うといったことができる。
一方で、再生側の欠陥が生じた場合は、上記のように欠陥画素を使用せずに再生を行ってしまうと、その画素位置の再生データ欠落となってしまう。但し、上述したオーバーサンプリングにより再生を行う際には、記録時の１画素分のデータはイメージセンサ８上の複数の画素を使用して読み出されるので、例えばそのうちの１つの画素を使用せずとも他の画素を用いてデータの読み出しを行うことが可能であり、よって欠陥画素とされた画素を使用しないという対策を有効に採ることができる。つまり具体的には、このように欠陥画素を使用せずにオーバーサンプリングを行う際には、１つのオーバーサンプリング画素ブロックとしての複数画素の検出値を平均化して１画素分の値を検出するにあたり、１オーバーサンプリング画素ブロックの総画素数から使用しなかった欠陥画素の数を減算した値で各画素の検出値の和を平均化する。これにより、欠陥画素からの誤った値を含んだ平均化を行う場合よりも正確に１画素の値を検出することができるようになる。
【００２７】
このようにして欠陥画素を使用しないという対策を採ることで、記録側のみの欠陥が生じた場合、及び再生時においてオーバーサンプリングを行う場合などに、定常的な信号品質悪化の発生を効果的に防止できる。
そして、この場合としても欠陥が記録側／再生側であるかが特定されなければ、上述のような記録時／再生時に応じた対策を適正に行うことができないものとなる。従ってこのためにも、欠陥の発生態様（つまり記録側での欠陥／再生側での欠陥／記録側及び再生側の双方の何れか）を特定できるようにすることが肝要であることがわかる。
【００２８】
しかしながら、このように欠陥の発生態様の別を切り分けようとした場合において、例えばＳＬＭ３での欠陥画素位置とイメージセンサ８での欠陥画素位置とが重なる、或いはＳＬＭ３での欠陥画素位置と先の図７に示したＧrによる像欠陥位置とが重なるなどしたときには、欠陥の切り分けを行うことが困難となる。
一例として、図９（ａ）（ｂ）（ｃ）（ｄ）は、それぞれ同一光軸上に生じたＳＬＭ３の画素欠陥、記録側の像欠陥Ｇw（対物レンズ４に付着した粉塵等に依る）、再生側の像欠陥Ｇr（エキスパンダレンズ７に付着した粉塵等に依る）、イメージセンサ８の画素欠陥を示しているが、このように同軸上に生じた欠陥は、次の図１０に示されるように、最終的に像が結像するイメージセンサ８から見れば、それぞれ同じ位置に重なるようにして現れるものとなる。
当然のことながら、欠陥の有無の判定はイメージセンサ８の検出値を利用することとなるので、このように各欠陥が１点に重なってしまった場合、図１に示した構成ではこれらの欠陥部分についてイメージセンサ８上の同じ画素を使用せざるを得ないこととなり、この結果欠陥の切り分けを行うことができなくなってしまう、という問題が生じる。
【００２９】
３．実施の形態としての記録再生装置
３−１．記録再生装置の構成
これまでで説明した課題の解決を図るべく、本実施の形態では、ホログラム記録媒体５について記録再生を行う記録再生装置として、第１に、先ずは欠陥部分の有無について判定する機能を与えるようにする。さらにその上で、第２の機能として、欠陥があるとされた場合にその欠陥の種類の切り分けを行う機能を与えるようにする。
【００３０】
図１１は、このような機能を実現するように構成された本実施の形態としての記録再生装置１の構成を示すブロック図である。なお、この図１１において、既に先の図１にて説明した部分と同じ部分については同一符号を付して説明を省略する。
先ず、実施の形態の記録再生装置１では、コリメータレンズ２から出射された平行光が、図示するようにチルトミラー１１で反射されてＳＬＭ１２に導かれるようになっている。このチルトミラー１１の傾斜角度は、後述するシステムコントローラ１５により制御される。
【００３１】
ＳＬＭ１２は、先のＳＬＭ３とは異なり、この場合は反射型の空間光変調器とされる。このような反射型のＳＬＭ１２としては、例えばＤＭＤ（Digital Micro mirror Device）や、反射型の液晶パネルなどを用いる。このＳＬＭ１２の各画素では、bit１の変調に応じては入射光を対物レンズ４側に反射する。すなわち、bit１の変調に応じては入射光が対物レンズ４側に導かれるようになっているものであり、このようにbit１の変調が行われた画素においては、光強度が強となる。
一方、bit０の変調に応じては入射光を対物レンズ４側に反射せず、これによってbit０の画素部分では、光強度が弱（遮断も含む）となるようにされている。
ＳＬＭ１２から対物レンズ４に入射した光は、所定位置にセットされたホログラム記録媒体５上に集光するようにされる。なお、以降の再生側の光学系の構成は、先に説明した記録再生装置５０と同様となるので改めて説明はしない。
【００３２】
イメージセンサ８で得られる各画素の値（電気信号）は、図示するようにしてデータ復調部１３に対して供給される。データ復調部１３は、これらイメージセンサ８からの各画素の値をそれぞれ２値化してbit１、bit０によるデータを取得し、それらのデータについて所定の復調処理を施すことで再生データを得る。この場合、bit１は受光有り（光強度＝強）、bit０は受光なし（光強度＝弱）を示す。
また、データ復調部１３は、上述したオーバーサンプリング処理を行うとされた場合は、予めイメージセンサ８上の画素について区分けされるようにして設定された各オーバーサンプリング画素ブロックごとに、各画素で得られる検出値を合計し、それをオーバーサンプリング画素ブロックを構成する総画素数で平均化して１bit分の値を検出する動作を行うようにされる。
【００３３】
また、特に本実施の形態の場合、イメージセンサ８からの各画素の値は、図示するように分岐してシステムコントローラ１５に対しても供給されるようになっている。
【００３４】
データ変調部１４は、ホログラム記録媒体５に対する記録時においては、入力される記録データに対し所定の変調処理を行って、先の図２に示したような記録データに応じた信号光パターン、及び参照光を生成するための変調データを得る。そして、この変調データに基づきＳＬＭ１２の各画素を駆動制御する。
また、再生時においては、先の図３のように参照光のみが形成されるようにするための変調データを生成し、この変調データに基づいてＳＬＭ１２の各画素を駆動制御する。
【００３５】
システムコントローラ１５は、例えばＣＰＵ（Central Processing Unit）、ＲＯＭ（Read Only Memory）、ＲＡＭ（Random Access Memory）などを備えたマイクロコンピュータで構成され、当該記録再生装置１の全体制御を行う。
例えば、上記データ変調部１４に対し、ホログラム記録媒体５についての記録時／再生時の別に応じた動作切り替え指示を行うようにされる。すなわち、記録時に対応しては、記録データに応じた信号光と参照光部分とが形成されるようにして変調が行われるようにするための動作モードに切り替えるように指示を行う。また再生時に対応しては、参照光のみが得られるようにして変調を行うようにするための動作モードに切り替える指示を行う。
また、再生時において、先に述べたオーバーサンプリング処理を行うとした場合は、データ復調部１３にその旨を指示することでオーバーサンプリング処理に応じたデータ再生動作を実行させるように制御を行う。なお、オーバーサンプリング処理時にはシステムコントローラ１５がエキスパンダレンズ７についての駆動制御も行うようにされるが、ここではエキスパンダレンズ７の駆動部、及びこの駆動部に対する制御線は省略している。
さらには、システムコントローラ１５は、レーザダイオードＬＤのオン／オフ制御を行うようにもされる。
また、特に本実施の形態の場合は、上述したような欠陥部分の有無を判定する機能と、欠陥の切り分けを行う機能との実現のために、図１６〜図２１に示す処理動作を行うようにされるがこれについては後述する。
【００３６】
３−２．実施の形態としての欠陥判定
ここで、先ず前提として、上記構成による記録再生装置１では、欠陥判定のための動作モードとして、通常の記録／再生時とは異なる態様によりレーザ光の照射及びＳＬＭ１２での強度変調を行うようにされる。
具体的に、先ず欠陥の有無の判定については、レーザダイオードＬＤをオンとした状態で、ＳＬＭ１２の全画素をそれぞれbit１（つまり光強度＝強）、bit０（つまり光強度＝弱）に設定するようにされる。そして、それらbit１に変調をかけた場合と、bit０に変調をかけた場合のそれぞれで、イメージセンサ８上の各画素に得られる検出値に基づき判定を行うようにされる。
【００３７】
このとき、注意すべきは、このような欠陥検出のために変調した光（全画素bit１又はbit０）は、そのままホログラム記録媒体５を透過させてイメージセンサ８に照射させるのみで足るということである。つまり、欠陥検出に際して用いるホログラム記録媒体５としては、必ずしも通常の記録再生が可能な媒体である必要はなく、例えば同等の屈折率（透過率）を有する媒体とされれば足る。
但し、上記もしているように、この場合の欠陥判定は、イメージセンサ８上の各画素の検出値に基づき行うようにするので、より確実な判定を行うためにはイメージセンサ８の各画素で十分かつ安定な検出値が得られるようにすることが好ましい。そのため、欠陥判定のために用いる媒体としては、通常の記録再生用のホログラム記録媒体５よりもさらに透過率の高い材質から成る媒体を用いることが望ましい。
【００３８】
また、確認のために述べておくと、欠陥判定を行う際、先にも述べたように粉塵等の付着によっては、単にコントラストの低下に留まるケースがあり、データ欠落、すなわち完全な欠陥とはならない場合がある。このため、本実施の形態において欠陥判定を行う際には、イメージセンサ８の各画素の検出値について所定の判定閾値を設けてbit１／bit０を判定するようにする。 
【００３９】
このようにして、ＳＬＭ１２の全画素をbit１／bit０としたときのイメージセンサ８の各画素で得られる検出値に基づき、欠陥の有無について判定を行うようにされるが、本実施の形態の記録再生装置１としては、このような欠陥判定を行うにあたっての処理の簡易化を図るべく、ＳＬＭ１２の画素欠陥、イメージセンサ８の画素欠陥の具体的な発生パターンを以下のように定義するものとしている。 
・ＳＬＭ１２の画素欠陥
→  レーザ光の強度変調を行う際に、ＳＬＭ１２の画素がbit１又はbit０で固定のままの状態となり、正常な変調をかけられない状態。つまり、具体的な症状としては、ＳＬＭ１２のbit１の変調に対しイメージセンサ８でbit０の値が得られるケース、或いはＳＬＭ１２のbit０の変調に対しイメージセンサ８でbit１の値が得られるケースの２種のみ。
・イメージセンサ８の画素欠陥
→  入力される光を検出しても回路故障等の要因で常にbit０に応じた値が出力されてしまう状態。または光が入力されなくても回路故障等の要因で画素からの値が常に最大値側（bit１側）に張り付く、若しくは出力オフセット異常で常時bit１の値が出力されてしまう状態。
具体的な症状としては、この場合もＳＬＭ１２のbit１の変調に対しイメージセンサ８でbit０が得られるケース、或いはＳＬＭ１２のbit０の変調に対しイメージセンサ８でbit１が得られるケースの２種のみ。
【００４０】
なお、理論的には、この他にもＳＬＭ１２においてbit１、bit０の変調に対してそれぞれbit０、bit１と逆の変調がかかってしまう場合や、イメージセンサ８においても検出結果が反転されて出力される場合なども考えられるが、本実施の形態では、これらの欠陥は実際に起こり得ない欠陥であるとして考慮はしないものとする。
【００４１】
上記のようにして欠陥の種類を定義した上で、欠陥の有無についての判定は、前述もしたようにレーザダイオードＬＤをオンとしてＳＬＭ１２の全画素でそれぞれbit１の変調をかけたとき、bit０の変調をかけたときのイメージセンサ８上の各画素で得られる検出値に基づき行う。
ＳＬＭ１２において全画素をそれぞれbit１、bit０としたとき、イメージセンサ８の各画素における検出値がそれぞれbit１、bit０ならば、欠陥は生じていない正常な状態であることがわかる。そしてこれを換言すれば、ＳＬＭ１２において全画素をbit１、bit０としたとき、イメージセンサ８の各画素における検出値がそれぞれbit１、bit０でなければ、欠陥が生じていると判定することができる。
このようにしてレーザダイオードＬＤをオンとしてＳＬＭ１２の全画素でそれぞれbit１、bit０の変調をかけたときの、イメージセンサ８上の各画素で得られる検出値がそれぞれbit１、bit０となっているか否かについて判定することで、先ずは第１の機能としての、欠陥有無の判定機能を実現することができる。
【００４２】
続いて、このような第１の判定機能により欠陥があると判定された場合には、その発生態様を特定する必要がある。先の説明より、この場合は最終的に記録側の欠陥／再生側の欠陥／記録側及び再生側の双方の何れであるかが特定できればよいとしている。
【００４３】
先ず、このような欠陥発生態様の特定のための具体的な動作の説明に先立ち、先に述べたようにしてＳＬＭ１２の画素欠陥とイメージセンサ８の画素欠陥とを定義した場合において、レーザダイオードＬＤをオンとしてそれぞれ全画素をbit１、bit０とした場合と、さらにレーザダイオードＬＤをオフとした場合の計３つの場合において、イメージセンサ８の画素にて得られる検出値のパターンを図１２（ｂ）にまとめる。
なお、図１２において、図１２（ａ）では確認のために、ＳＬＭ１２、ホログラム記録媒体５、イメージセンサ８、記録側の像欠陥Ｇw、再生側の像欠陥Ｇrの位置関係と、ＳＬＭ１２及びイメージセンサ８において生じ得る画素欠陥の種類（図中の括弧内）とを示している。
この図１２（ａ）では、記録側の像欠陥Ｇwとして、対物レンズ４に付着した粉塵等による像欠陥を例示しているが、記録側の像欠陥Ｇwとしては、実施の形態の記録再生装置１の構成においてはコリメータレンズ２、又はチルトミラー１１に付着した粉塵等によっても生じ得る。
また、再生側の像欠陥Ｇrとしてもエキスパンダレンズ７に付着した粉塵等による像欠陥を例示しているが、他にも対物レンズ６に付着した粉塵等によっても生じ得る。
ここで、以下では説明の便宜上、記録側の像欠陥については、この図１２（ａ）に示されるようにして対物レンズ４に付着した粉塵等によるもののみが生じ得るものとする。また、再生側の像欠陥としても、エキスパンダレンズ７に付着した粉塵等によるもののみが生じ得るものとして説明を続ける。
【００４４】
図１２（ｂ）に示されるようにして、レーザダイオードＬＤをオンとしてそれぞれ全画素をbit１、bit０とした場合と、さらにレーザダイオードＬＤをオフとした場合の計３つの場合（bit１／bit０／ＬＤOFF）において、イメージセンサ８の画素にて得られる検出値のパターン（以下検出値パターンと呼ぶ）としては、「１，０，０」「１，１，０」「１，１，１」「０，０，０」の４パターンのみが生じ得るものとなる。
【００４５】
先ず、これらの検出値パターンのうち「１，０，０」は、「欠陥なし」のときのパターンとなる。つまり、先にも述べたように欠陥がない（つまりＳＬＭ１２、イメージセンサ８の画素欠陥がなく、且つ記録側の画素欠陥Ｇw、再生側の像欠陥Ｇrもない）のであれば、ＳＬＭ１２のbit１の変調に対しイメージセンサ８では同様にbit１の検出値が得られ、またＳＬＭ１２のbit０の変調に対してはイメージセンサ８にて同様にbit０の検出値が得られる。そしてレーザダイオードＬＤがオフであればイメージセンサ８では受光なし（光強度＝弱）を表すbit０の検出値が得られるものである。
【００４６】
なお、先の説明によれば、欠陥の有無を判定する第１の機能では、レーザダイオードＬＤをオンとしたときのＳＬＭ１２のbit１／bit０の変調に対するイメージセンサ８の検出値のみに基づいて判定を行うものとしたが、このように欠陥の有無の判定についてはレーザダイオードＬＤをオフとしたときの検出値を参照せずとも行うことができる。これは、図１２（ｂ）においてbit１／bit０の変調に対応して得られる検出値が「１，０」のときは、レーザダイオードＬＤをオフとしたときの検出値を含めた検出値パターンとしては欠陥なしを示す「１，０，０」しかあり得ないことからも理解できる。
【００４７】
また、図中において、上記欠陥なしを示す「１，０，０」以下の検出値パターン（「１，１，０」「１，１，１」「０，０，０」）は、ＳＬＭ１２の画素欠陥、イメージセンサ８の画素欠陥、記録側の像欠陥Ｇw、再生側の像欠陥Ｇrのうち少なくとも何れかが生じた場合、すなわち記録側の欠陥、再生側の欠陥、記録側及び再生側の双方の欠陥の何れかが生じた場合で得られるパターンを示している。
以下では、欠陥が生じている場合に得られうる検出値パターンがこれらのパターンのみとなることを証明するために、欠陥の発生態様（記録側の欠陥、再生側の欠陥、記録側及び再生側の双方）ごとに、それぞれで得られうる検出値パターンについて検証していく。
【００４８】
先ず、記録側の欠陥について検証してみる。記録側の欠陥は、ＳＬＭ１２の画素欠陥及び／又は記録側の像欠陥Ｇwが生じている場合である。
記録側の欠陥がＳＬＭ１２の画素欠陥のみのとき、考えられるのはbit１で固定又はbit０で固定となる欠陥である。bit１で固定のとき、イメージセンサ８の検出値は、ＳＬＭ１２の変調がbit１のときbit１、bit０のときもbit１、レーザダイオードＬＤがオフのときbit０となる「１，１，０」となる。またＳＬＭ１２がbit０で固定のとき、イメージセンサ８での検出値は、ＳＬＭ１２の変調がbit１のときbit０、bit０のときもbit０、レーザダイオードＬＤがオフのときbit０となる「０，０，０」となる。
また、記録側の欠陥が像欠陥Ｇwのみである場合、イメージセンサ８の検出値は、レーザダイオードＬＤがオンのときはＳＬＭ１２の変調に関わらず常にbit０となり、レーザダイオードＬＤをオフとしたときもイメージセンサ８の検出値はbit０となる。すなわち記録側の欠陥が像欠陥のみである場合、イメージセンサ８の検出値は「０，０，０」となる。
さらに、記録側の欠陥がＳＬＭ１２の画素欠陥と像欠陥Ｇwとの双方によるものである場合、ＳＬＭ１２がbit１又はbit０で固定でも、像欠陥Ｇwがあることからイメージセンサ８の検出値は「０，０，０」となる。
以上より、記録側のみに欠陥がある場合、イメージセンサ８の検出値パターンは「１，１，０」「０，０，０」の２通りのみがあり得ることになる。
【００４９】
また、再生側の欠陥については、イメージセンサ８の欠陥及び／又は再生側の像欠陥Ｇrにより生じるものとなる。
再生側のみの欠陥として、イメージセンサ８の欠陥のみが生じるとき、考えられるのはイメージセンサ８がbit１で固定又はbit０で固定となる欠陥である。bit１で固定のとき、当然のことながらイメージセンサ８の検出値はＳＬＭ１２の変調がbit１のときbit０のときに関わらずbit１となる。さらに、レーザダイオードＬＤがオフとされても、bit１で固定であることから、その結果は「１，１、１」となる。同様にして、イメージセンサ８がbit０で固定のとき、その結果は「０，０，０」となる。
また、再生側の欠陥が像欠陥Ｇrのみである場合は、この場合もレーザダイオードＬＤがオンのときはＳＬＭ１２の変調に関わらず常にbit０となり、レーザダイオードＬＤをオフとしたときはbit０となる。つまり再生側の欠陥が像欠陥Ｇrのみである場合、イメージセンサ８の検出値は「０，０，０」となる。
また、再生側の欠陥としては、イメージセンサ８の画素欠陥と像欠陥Ｇrとの双方による場合も考えられるが、その場合、検出値パターンはイメージセンサ８の欠陥内容に応じたものとなる。すなわち、イメージセンサ８がbit１で固定のときは検出値パターンも「１，１，１」であり、bit０で固定のときは検出値パターンも「０，０，０」となる。
このようにして、再生側の欠陥のみが生じる場合、イメージセンサ８の検出値パターンは「１，１，１」「０，０，０」の２通りのみがあり得ることになる。
【００５０】
さらに、記録側と再生側の双方の欠陥については、先ずその具体的な発生パターンの分類として、大きくは像欠陥（Ｇw及び／又はＧr）がある場合とない場合とでわけることができる。
像欠陥がある場合として、それが記録側の像欠陥Ｇwのみであるとすると、記録側と再生側の双方の欠陥としてあり得るのは「記録側の像欠陥Ｇw＋イメージセンサ８の画素欠陥」、「記録側の像欠陥Ｇw＋ＳＬＭ１２の画素欠陥＋イメージセンサ８の画素欠陥」の２通りとなる。これらの場合、イメージセンサ８の画素欠陥を含むので、イメージセンサ８の検出値パターンはイメージセンサ８の欠陥内容がbit１で固定かbit０で固定かによってのみ左右される。つまり、イメージセンサ８がbit１で固定のとき、検出値パターンは「１，１，１」、bit０で固定のときは「０，０，０」となる。
一方で像欠陥が再生側の像欠陥Ｇrのみである場合、あり得るのは「再生側の像欠陥Ｇr＋ＳＬＭ１２の画素欠陥」、「再生側の像欠陥Ｇr＋ＳＬＭ１２＋イメージセンサ８の像欠陥」の２通りとなる。この場合もイメージセンサ８の画素欠陥を含む後者の場合は、イメージセンサ８の検出値パターンはイメージセンサ８の欠陥内容がbit１で固定かbit０で固定かによってのみ左右され、従って検出値パターンは「１，１，１」か「０，０，０」の何れかとなる。また、前者のＳＬＭ１２の画素欠陥との組み合わせの場合は、検出値パターンは「０，０，０」のみとなる。
また、像欠陥が記録側と再生側の双方で生じる場合、あり得るのは「記録側の像欠陥Ｇw＋再生側の像欠陥Ｇr」、「記録側の像欠陥Ｇw＋ＳＬＭ１２の画素欠陥＋再生側の像欠陥Ｇr」、「記録側の像欠陥Ｇw＋再生側の像欠陥Ｇr＋イメージセンサ８の画素欠陥」、「記録側の像欠陥Ｇw＋ＳＬＭ１２の画素欠陥＋再生側の像欠陥Ｇr＋イメージセンサ８の画素欠陥」の４通りとなる。
１番目の像欠陥Ｇw＋像欠陥Ｇrのみの場合は、イメージセンサ８の検出値パターンは「０，０，０」のみとなる。また、２番目の「記録側の像欠陥Ｇw＋ＳＬＭ１２の画素欠陥＋再生側の像欠陥Ｇr」の場合は、ＳＬＭ１２の画素欠陥の内容に関わらず検出値パターンは「０，０，０」となる。また、この場合もイメージセンサ８の画素欠陥を含む３、４番目の場合は、イメージセンサ８の検出値のパターンは「１，１，１」か「０，０，０」の何れかとなる。
【００５１】
また、記録側と再生側の双方の欠陥が生じる場合で、像欠陥が生じていない場合には、あり得る欠陥の組み合わせは「ＳＬＭ１２の画素欠陥＋イメージセンサ８の画素欠陥」のみとなり、その検出値パターンはイメージセンサ８の欠陥内容に応じた「１，１，１」か「０，０，０」の何れかとなる。
【００５２】
このようにして、記録側と再生側の双方で欠陥が生じる場合にあり得る検出値パターンは、「１，１，１」か「０，０，０」の何れかのみとなる。
【００５３】
これらのことより、何らかの欠陥が生じている場合においては、レーザダイオードＬＤをオンとしてＳＬＭ１２の全画素をそれぞれbit１、bit０とした場合と、さらにレーザダイオードＬＤをオフとした場合の計３つの場合において、イメージセンサ８の画素にて得られる検出値パターンとしては「１，１，０」「１，１，１」「０，０，０」の何れかのみとなることがわかる。
図１２（ｂ）においては、このようにイメージセンサ８において得られうる検出値パターンごとに、それぞれ生じる可能性のある欠陥の種類をまとめて示している。
【００５４】
ここで、これらのイメージセンサ８の検出値パターンのうち、「１，１，０」の検出値パターンについては、図示するようにしてＳＬＭ１２がbit１で固定となる欠陥のみが生じている場合に得られるパターンであることになる。
つまり、この場合はレーザダイオードＬＤがオンのときとオフのときとで、イメージセンサ８の検出値がbit１とbit０とで反転しているので、イメージセンサ８の画素欠陥が生じていないと判断できる。また、レーザダイオードＬＤがオンの状態で検出値がbit１となっていることから、像欠陥は生じていないことも判明する。従ってこれらのことより、残る可能性はＳＬＭ１２の画素欠陥のみとなり、この場合はbit０の変調のとき検出値がbit１となっていることから、ＳＬＭ１２がbit１で固定となっている欠陥であるということが特定できるものである。
従って検出値パターン「１，１，０」に応じては、ＳＬＭ１２がbit１で固定となっている欠陥（つまり記録側のみの欠陥）であることを特定できる。
【００５５】
一方で、検出値パターン「１，１，１」「０，０，０」は、記録側のみの欠陥、再生側のみの欠陥、さらには記録側の欠陥＋再生側の欠陥の何れかの欠陥発生態様に応じて得られるものとなっている。つまりは、これらの検出値パターンが得られるときは、記録側のみの欠陥であるか、再生側のみの欠陥であるか、さらには記録側と再生側の双方の欠陥であるかを特定することができなくなってしまう。
なお、「１，１，１」の結果によれば、図中破線丸印により囲うようにレーザダイオードＬＤがオフの状態でイメージセンサ８の検出値がbit１となっていることから、イメージセンサ８がbit１で固定であることは確定できる。但し、逆を言えば、この場合はイメージセンサ８の画素欠陥により他の欠陥についての判定ができない状態となっているものであり、従って実際には記録側の欠陥も生じている可能性もあり、それを確認しなければ欠陥の発生態様を特定することができない。
【００５６】
このように記録側、再生側、記録側と再生側の双方の別を切り分けることができないのは、先の図９及び図１０に示したように、複数の欠陥が該当するイメージセンサ８上の画素と同一光軸上で重なるようにして発生している可能性があるからである。
【００５７】
そこで、本実施の形態では、このように同一光軸上に重なっている可能性のあるそれぞれの欠陥（この場合はＳＬＭ１２の画素欠陥、記録側の像欠陥Ｇw、再生側の像欠陥Ｇr、イメージセンサ８の画素欠陥）を切り分けて、個別にその有無を判定できるようにする。
そのための構成として、本実施の形態の記録再生装置１では、先の図１１に示したようなチルトミラー１１を設けるようにしている。
【００５８】
図１１に示すチルトミラー１１によれば、これを初期位置から傾けることで、イメージセンサ８への入射光の角度を傾けることができる。
図１３は、このようなチルトミラー１１の初期位置からの傾斜に伴う光軸の傾斜角度変化を模式的に示している。
なお、この図１３では先の図１１に示したチルトミラー１１、ＳＬＭ１２、ホログラム記録媒体５、イメージセンサ８と共に、ＳＬＭ１２の画素欠陥（図中○）、記録側の像欠陥Ｇw（☆）、再生側の像欠陥Ｇr（★）、イメージセンサ８の画素欠陥（×）の位置関係も示している。また、これら全ての欠陥が図中の同じ一点鎖線上にあることで、これらの欠陥が同一光軸上に生じていることを示している。この図では説明の便宜上、ＳＬＭ１２は透過型として構成される場合を示している。
【００５９】
この図１３に示されるように、チルトミラー１１を初期位置（図中破線で示すチルトミラー１１の位置：すなわち通常の記録再生時におけるチルトミラー１１の設置角度）から傾斜させることで、レーザビームは初期位置に対応した図中レーザビームＢ-nrmlからレーザビームＢ-shftのようにして傾斜してイメージセンサ８側に入射されるようになる。そしてこれに伴っては、図示するようにしてＳＬＭ１２の画素欠陥の像、記録側の画素欠陥Ｇwの像、再生側の像欠陥Ｇrの像のイメージセンサ８への入射位置も変化するものとなる。すなわち、これらの像のイメージセンサ８への入射位置を、初期位置に対応したレーザビームＢ-nrmlが入射される場合とは異なる位置に移動させることができる。
【００６０】
図１４は、このようにしてチルトミラー１１の傾斜によりＳＬＭ１２の画素欠陥の像、記録側の像欠陥Ｇwの像、再生側の像欠陥Ｇrの像がイメージセンサ８上で移動した様子を模式的に示している。この図に示されているように、チルトミラー１１の初期位置からの傾斜に伴っては、初期位置の場合には図中のイメージセンサ８の画素欠陥の位置で重なっていたＳＬＭ１２の画素欠陥の像、記録側の像欠陥Ｇwの像、再生側の像欠陥Ｇrの像が、それぞれビームのシフト方向側に移動するものとなって、イメージセンサ８上の別々の位置に入射していることがわかる。
【００６１】
ここで、このようなイメージセンサ８に対する各像の入射位置については、チルトミラー１１を傾斜させる角度を調整することで制御することができる。つまり、この場合において欠陥が生じる位置は、イメージセンサ８を除くとＳＬＭ１２、対物レンズ４（記録側の像欠陥Ｇw）、対物レンズ６（再生側の像欠陥Ｇr）であることがわかっているものであり、従ってそれら個々の位置からイメージセンサ８までの距離は予め知り得るものとなる。そして、このように各欠陥位置からイメージセンサ８までの距離がわかれば、あとはチルトミラー１１の傾斜角度から各像のイメージセンサ８上での移動量を求めることができる。
【００６２】
図１５は、或るチルトミラー１１の傾斜角度に応じた各像のイメージセンサ８上での移動量を示している。チルトミラー１１が或る角度で傾斜された場合、ＳＬＭ１２の画素欠陥の像の移動量は、その傾斜角度（つまりはレーザビームＢ-shftの傾斜角度）と、ＳＬＭ１２とイメージセンサ８との距離とに応じた移動量Ｓslmとなる。同様に、記録側の像欠陥Ｇwの像の移動量としては、チルトミラー１１の傾斜角度と対物レンズ４とイメージセンサ８との距離とに応じた移動量Ｓwとなり、再生側の像欠陥Ｇrの像の移動量としては、チルトミラー１１の傾斜角度と対物レンズ６とイメージセンサ８との距離とに応じた移動量Ｓrとなる。
なお、確認のために述べておくと、この場合はＳＬＭ１２がイメージセンサ８から最も遠くに位置するため、ＳＬＭ１２の画素欠陥の像がビームのシフト方向側に最も移動することになる。
【００６３】
このようにしてチルトミラー１１を設けることで、イメージセンサ８に入射するＳＬＭ１２の画素欠陥の像の位置、記録側の像欠陥Ｇwの像の位置、再生側の像欠陥Ｇrの像の位置を、その傾斜角度に応じた分だけ移動させることができる。
そして、これによれば、ＳＬＭ１２の画素欠陥、記録側の像欠陥Ｇw、再生側の像欠陥Ｇr、イメージセンサ８の画素欠陥が同一光軸上に重なって発生していた場合にも、チルトミラー１１を傾斜させることで、それらの位置がイメージセンサ８上の同一位置に重ならないようにすることができ、これによって各欠陥を切り分けて個別にその有無を判定することが可能となる。
【００６４】
これまでの説明を踏まえ、以下では本実施の形態の記録再生装置１が行う欠陥判定のための具体的動作について説明する。
先ず、判定動作としては、先にも述べたように第１の機能としての欠陥の有無判定を行う。すなわち、レーザダイオードＬＤをオンとした状態で、ＳＬＭ１２の全画素をbit１／bit０としたときのイメージセンサ８の各画素の値を検出する。
そして、その検出結果に基づき、欠陥の有無を判定する。この場合、先の図１２（ｂ）からわかるようにbit１／bit０の変調に対するイメージセンサ８の検出値が「１，０」であることで、その画素が正常な画素であると判定することになる。
【００６５】
なお、以下では、上記のようにレーザダイオードＬＤをオンとした状態でbit１の変調をかけたときに、イメージセンサ８上の画素で得られた検出値のことを「Ｐon-1」と呼ぶ。またbit０の変調をかけたときに得られた検出値のことは「Ｐon-0」と呼ぶ。
【００６６】
一方、検出値が「１，０」でない場合は、そのイメージセンサ８の画素、又はその画素と同一光軸上となるＳＬＭ１２の画素、又はその画素と同一光軸上となる対物レンズ４上の位置、又はその画素と同一光軸上となるエキスパンダレンズ７上の位置の何れかに欠陥が生じていることになる。
ここで、レーザダイオードＬＤをオンとした状態でbit１／bit０の変調をかけた際の検出値としては、上記のように欠陥なしを示す「１，０」以外に、「１，１」「０，０」しかあり得ないものとなる（図１２（ｂ）参照）。
これらのうち、「１，１」の検出結果が得られた場合は、レーザダイオードＬＤをオフとした際の検出値を含めた検出値パターンは「１，１，０」と「１，１，１」のみが考えられ得る。
【００６７】
先の図１２（ｂ）にて説明したように、これらの検出値パターンのうち「１，１，０」によっては、ＳＬＭ１２がbit１で固定となる欠陥のみであることを特定することができる。つまり、この結果が得られたときは、当該「１，１」の検出値が得られたイメージセンサ８の画素と同一光軸上に生じる欠陥がＳＬＭ１２の画素欠陥のみであると特定できる、すなわち記録側の欠陥のみであると特定することができる。
【００６８】
そこで先ずは、bit１／bit０の変調に対して「１，１」の検出結果が得られた画素（後述のＤ２欠陥画素）については、上記のようにしてさらにレーザダイオードＬＤをオフとしたときに得られる値を再検出し、これによってその画素が上記検出値パターン「１，１，０」の画素であるか、或いはもう一方の「１，１，１」の画素であるかの判定を行う。
そしてレーザダイオードＬＤをオフとした検出値が「０」であった場合は、上記のようにして当該画素と同一光軸上に生じる欠陥がＳＬＭ１２の画素欠陥のみであるとの判定を行う。
【００６９】
なお、このように「１，１，０」／「１，１，１」の判定のためにレーザダイオードＬＤをオフとして再検出された値については、以下「Ｐd2」と呼ぶ。
また、上記のようにしてbit１／bit０の変調に対し「１，１」の検出結果が得られ、検出値パターンが「１，１，０」「１，１，１」となり得る画素のことを、以下では欠陥Ｄ２画素と呼ぶ。
【００７０】
一方、上記検出値Ｐd2の再検出の結果が「１」とされて、検出値パターンとして「１，１，１」の結果が得られたときは、先の図１２（ｂ）によると、その画素の同一光軸上で生じ得る欠陥は再生側の欠陥、記録側と再生側の双方の欠陥の何れかである可能性があることになる。すなわち、この場合は欠陥の切り分けとして、先に述べたようにチルトミラー１１を傾斜させて、当該画素と同一光軸上に生じている可能性のある各欠陥の像の移動を行って各欠陥の有無を個別に判定する必要があることになる。
このようにして検出値Ｐd2が「１」となって「１，１，１」の検出値パターンに該当した画素については、以下、欠陥Ｄ３画素と呼ぶ。
【００７１】
また、bit１／bit０の変調に対する検出値が「０，０」である場合は、レーザダイオードＬＤをオフとしたときの検出値を含めた検出値パターンは「０，０，０」であることがわかる（図１２（ｂ）参照）。なお、正確に言うと、この場合はbit１／bit０の双方の変調に対する検出値を参照せずとも、bit１の変調に対する検出値のみを参照することで、検出値パターン「０，０，０」であるか否かの判定を行うことができる。つまり図１２（ｂ）において示されるように、この場合はbit１に対する変調が「０」であれば、検出値パターンは「０，０，０」以外にはあり得ないからである。従って実際には、bit１の変調に対する検出値のみを参照し、その値がbit０に対応したものであるときに当該画素が検出値パターン＝「０，０，０」となる画素であることを判定する。
【００７２】
この検出値パターン「０，０，０」は、記録側の欠陥、再生側の欠陥、記録側と再生側の双方の何れかで得られるパターンである。従って、それらの何れであるかを特定するために、この場合もチルトミラー１１を用いて各欠陥を切り分けて個別にその有無を判定することが必要となる。
【００７３】
なお、このように図１２（ｂ）にて示した検出値パターン「０，０，０」の欠陥となる、bit１の変調に対し検出値「０」が得られた画素については、欠陥Ｄ１画素と呼ぶこととする。
【００７４】
ここで、上記のようにして検出値パターンが「１，１，１」である欠陥Ｄ３画素、及び「０，０，０」となる欠陥Ｄ１画素について、同一光軸上に重なって生じている可能性のある各欠陥を切り分けて個別にその有無を判定するにあたっては、少なくとも以下の条件が満たされるようにチルトミラー１１を傾斜させる必要がある。
先ず第１としては、イメージセンサ８上の欠陥Ｄ３画素、欠陥Ｄ１画素と同一光軸上となるＳＬＭ１２の画素位置、対物レンズ４の位置（記録側の像欠陥Ｇwの位置）、エキスパンダレンズ７の位置（再生側の像欠陥Ｇrの位置）にある各像が、イメージセンサ８上の正常と判定された画素に入射することである。つまり、イメージセンサ８上の欠陥のある画素に対し像が入射されてしまっては、その像についての検出値を適正に得ることができず、各欠陥の有無を正確に判定することができなくなるからである。
【００７５】
また、第２としては、ＳＬＭ１２の画素欠陥の像、記録側の像欠陥Ｇwの像、再生側の像欠陥Ｇrの像がイメージセンサ８上の同一画素上に重ならないようにすることである。すなわち、イメージセンサ８上の同一の画素に複数の像が重なって入射した場合には、それらの像について個別に検出値を得ることができず、よって適正に各欠陥の有無を判定できなくなるからである。
【００７６】
さらに第３として、ＳＬＭ１２の画素欠陥の像、像欠陥Ｇwの像、像欠陥Ｇrの像のそれぞれが、傾斜後のレーザビームにおける同一光軸上で重ならないようにすることも条件となる。これは、ＳＬＭ１２、対物レンズ４、エキスパンダレンズ７の少なくとも何れかにおいて、複数位置に欠陥が生じている場合を想定したものである。
つまり、例えば仮にイメージセンサ８上の２つの画素で欠陥が判定された場合には、それら２つの画素とそれぞれ同一光軸上でＳＬＭ１２の画素欠陥、記録側の像欠陥Ｇw、再生側の像欠陥Ｇrが生じている可能性があるが、このとき、一方の画素と同一光軸上で生じている欠陥が例えばＳＬＭ１２の画素欠陥・再生側の像欠陥Ｇrであるとし、他方の画素と同一光軸上で生じている欠陥が再生側の像欠陥Ｇrのみであったと仮定する（つまり、この場合はエキスパンダレンズ７において２箇所の像欠陥が生じていたと仮定している）と、レーザビームの傾斜角度（チルトミラー１１の傾斜角度）によっては、傾斜後の同一光軸上において、上記ＳＬＭ１２の画素欠陥の像と、このＳＬＭ１２の欠陥とは同一光軸上にはなかった方の再生側の像欠陥Ｇrとが重なってしまうこともあり得る。そして、このように傾斜後の同一光軸上において複数の欠陥の像が重なってしまった場合は、先の第２の条件が満たされない場合と等価となり、従ってそれらの欠陥についての有無を適正に判定することができなくなってしまうからである。
【００７７】
以上より、チルトミラー１１の傾斜角度は、
・ＳＬＭ１２の画素欠陥、記録側の像欠陥Ｇw、再生側の像欠陥Ｇrの各像がイメージセンサ８上の正常な画素に入射
・ＳＬＭ１２の画素欠陥の像、記録側の像欠陥Ｇwの像、再生側の像欠陥Ｇrの像がイメージセンサ８上の同一画素に重ならないように入射
・ＳＬＭ１２の画素欠陥の像、記録側の像欠陥Ｇwの像、再生側の像欠陥Ｇrの像とが傾斜後の同一光軸上で重ならないようにイメージセンサ８に入射
という条件を満たすようにして設定する。
【００７８】
ここで、チルトミラー１１の傾斜によりイメージセンサ８上で移動することになるＳＬＭ１２の画素欠陥の像、記録側の像欠陥Ｇwの像、再生側の像欠陥Ｇrの像の各入射位置は、先の図１５にて説明したようにチルトミラー１１の傾斜角度に応じて知ることができる。
すなわち、傾斜後のＳＬＭ１２の画素欠陥の像のイメージセンサ８への入射位置は、イメージセンサ８からＳＬＭ１２までの距離とチルトミラー１１の傾斜角度とに応じた移動量Ｓslm分シフトした位置となることがわかる。また、同様に記録側の像欠陥Ｇwの像の入射位置は、イメージセンサ８から対物レンズ４までの距離とチルトミラー１１の傾斜角度とに応じた移動量Ｓw分シフトした位置となり、再生側の像欠陥Ｇrの像の入射位置はイメージセンサ８からエキスパンダレンズ７までの距離に応じた移動量Ｓr分シフトした位置となることがわかる。
従って、この移動量の情報に基づき、各像が正常画素に入射するかどうかを確認できる、すなわち上記第１の条件が満たされるか否かを確認できる。また、同様に、各像が同一画素上で重ならないかどうか、つまり上記第２の条件が満たされるかどうかも確認することができる。
また、上記第３の条件については、ＳＬＭ１２、対物レンズ４、エキスパンダレンズ７の間の距離も予め把握することができるので、傾斜角度に応じたＳＬＭ１２の画素欠陥の像の対物レンズ４上及びエキスパンダレンズ７上での入射位置、記録側の像欠陥Ｇwの像のエキスパンダレンズ７上での入射位置をそれぞれ求めることができる。すなわち、これらの情報から、上記第３の条件が満たされるかどうかを確認することができる。
なお、上記の３つの条件を満たす傾斜角度を求めるための具体的手法としては多様に考えられるため、ここで特に限定する記載はしない。
【００７９】
そして、上記のようにしてチルトミラー１１の傾斜後においてＳＬＭ１２の画素欠陥、記録側の像欠陥Ｇw、再生側の像欠陥Ｇrの各像が入射するイメージセンサ８上の位置（画素）がわかるということは、それらの画素で得られる検出値を再度参照することで、それぞれの欠陥の有無を判定することができる。
また、上記説明によれば、傾斜後においてはＳＬＭ１２の画素欠陥、記録側の像欠陥Ｇw、再生側の像欠陥Ｇrの各欠陥の像がイメージセンサ８上の欠陥有りとされた画素とは異なる画素に移動するので、この欠陥有りと判定された画素についても再度その検出値を参照することで、当該欠陥有りと判定されたイメージセンサ８上の画素についてもその欠陥の有無を判定することができる。
このようにして傾斜前の同一光軸上で重なって生じていた可能性のあるＳＬＭ１２の画素欠陥、記録側の像欠陥Ｇw、再生側の像欠陥Ｇr、イメージセンサ８の画素欠陥の有無について、それぞれを個別に判定することができる。
【００８０】
ここで、個々の欠陥の有無を個別に判定するための再度の検出動作としては、イメージセンサ８上の欠陥Ｄ１、欠陥Ｄ３と判定された画素と、それらの画素からそれぞれ移動量Ｓslm、移動量Ｓw、移動量Ｓrとなる画素について、レーザダイオードＬＤをオンとしてＳＬＭ１２の全画素でbit１／bit０の変調をかけたときの値を再検出することが考えられる。
しかしながらこの場合、欠陥Ｄ３画素の検出値パターン「１，１，１」としては、先の図１２（ｂ）でも説明したようにイメージセンサ８の画素欠陥は確定（つまり再生側の欠陥は確定）となり、あとは記録側での欠陥の有無のみが判定されればよいものである。従ってイメージセンサ８上のこの欠陥Ｄ３画素と、それと同一光軸上で発生している可能性のある再生側の像欠陥Ｇrとについては、その有無の判定は不要とすることができ、この場合は少なくとも当該欠陥Ｄ３画素から移動量Ｓslm、移動量Ｓwとなる画素での値を再検出し、これによって記録側の欠陥も生じていたかどうかを確認すればよい。
【００８１】
また、さらに言うと、この場合の移動量Ｓw画素の再検出値の判定としての、記録側の像欠陥Ｇwの有無の判定としては、ＳＬＭ１２のbit１／bit０の双方の変調に対する検出値を参照するまでもなく、bit１の変調に対し検出値「１」が得られるか否かを判定すれば足る。これは、像欠陥Ｇとしては、その発生によって検出値が「０」となるものであって、ＳＬＭ１２のbit０の変調に対してはその有無を判定することができないからである。
一方で移動量Ｓslm画素の再検出値の判定としての、ＳＬＭ１２の画素欠陥の有無の判定は、ＳＬＭ１２でbit１／bit０の双方の変調をかけたときにそれぞれ得られる検出値に基づかなければ、正確に判定を行うことができないことになる。
【００８２】
これらのことより、欠陥Ｄ３と判定された画素と同一光軸上で生じていた可能性のある各欠陥の有無判定のためには、再検出動作として、チルトミラー１１の傾斜後にレーザダイオードＬＤをオンとしてＳＬＭ１２でbit１／bit０で変調をかけたときの移動量Ｓslmとなる画素の値と、bit１の変調をかけたときの移動量Ｓwとなる画素の値とについてのみ検出を行うことになる。
そしてこの再検出動作の結果として、上記移動量Ｓslmとなる画素の検出結果に基づいては、bit１の変調に対する検出値が「０」、またはbit０の変調に対する検出値が「１」であったことに応じ、ＳＬＭ１２の画素欠陥があったと判定する。
また、移動量Ｓwとなる画素の検出結果に基づいては、bit１の変調に対する検出値が「０」であったことに応じ、記録側の像欠陥Ｇwがあったと判定する。
【００８３】
これらＳＬＭ１２の画素欠陥の有無と記録側の像欠陥Ｇwの有無とについての判定結果より、この場合は上述のように確定されるイメージセンサ８の画素欠陥（再生側の画素欠陥）と共に、記録側の画素欠陥も生じていたか否かを特定することができる。すなわち、ＳＬＭ１２の画素欠陥、記録側の像欠陥Ｇwのうち少なくとも何れか一方があったとされた場合は、記録側の欠陥も生じていたことが特定され、再生側と記録側の双方の欠陥が生じていたことが特定される。
また、ＳＬＭ１２の画素欠陥、記録側の像欠陥Ｇwの何れもなかったとされた場合には、欠陥は再生側のみであったことを特定することができる。
【００８４】
一方で、欠陥Ｄ１（０，０，０）と判定された画素については、図１２（ｂ）に示したように、その同一光軸上で生じていると考えられる欠陥の発生態様としては、再生側のみ、記録側のみ、記録側と再生側の双方となる。従ってイメージセンサ８の画素欠陥の有無、再生側の像欠陥Ｇrの有無、記録側の像欠陥Ｇwの有無、ＳＬＭ１２の画素欠陥の有無の全てについて判定を行う必要がある。
先ず、イメージセンサ８の画素欠陥の有無から説明すると、この場合の検出値パターン「０，０，０」によっては、イメージセンサ８上の該当欠陥Ｄ１画素が「１」で固定となる欠陥は生じ得ないことがわかる。従ってこの場合のイメージセンサ８の画素欠陥の有無の判定は、bit０で固定となっているか否かを判定すればよく、具体的には、欠陥Ｄ１画素についてＳＬＭ１２でbit１の変調をかけたときのみの値を検出し、このbit１の変調に応じて得られた検出値が「０」であった場合に、イメージセンサ８の画素欠陥があったと判定するようにして行うことになる。
【００８５】
また、再生側の像欠陥Ｇrの有無については、欠陥Ｄ１と判定された画素から移動量Ｓrとなる画素について、レーザダイオードＬＤをオンとしてＳＬＭ１２でbit１の変調をかけたときに得られる値のみを検出する。つまり、上述もしたように像欠陥Ｇについてはbit０の変調に対してその有無を判定することができないからである。
そして、このbit１の変調に対する検出値が「０」であった場合に、再生側の像欠陥Ｇrがあったと判定する。
【００８６】
また、記録側の像欠陥Ｇwの有無についても、欠陥Ｄ１と判定された画素から移動量Ｓwとなる画素について、レーザダイオードＬＤをオンとしてＳＬＭ１２でbit１の変調をかけたときの値のみを検出する。そして、このようなbit１の変調に対する検出値が「０」であった場合に、記録側の像欠陥Ｇwがあったと判定する。
さらにＳＬＭ１２の画素欠陥の有無については、欠陥Ｄ１と判定された画素から移動量Ｓslmとなる画素について、レーザダイオードＬＤをオンとしてＳＬＭ１２でbit１／bit０の変調をかけたときの値を検出する。そして、bit１の変調に対する検出値が「０」、又はbit０の変調に対する検出値が「１」であった場合に、ＳＬＭ１２の画素欠陥があったと判定する。
【００８７】
このようにして、欠陥Ｄ１と判定された画素についても、その画素と同一光軸上で生じている可能性のあった各欠陥の有無を個別に判定することができる。つまり、この欠陥Ｄ１の場合はイメージセンサ８の画素欠陥、像欠陥Ｇr、像欠陥Ｇw、ＳＬＭ１２の画素欠陥の全ての有無について判定が行われる。
そしてこの判定結果より、記録側の像欠陥ＧwとＳＬＭ１２の画素欠陥とが共になく、イメージセンサ８の画素欠陥と再生側の像欠陥Ｇrの少なくとも何れか一方があった場合は、再生側の欠陥のみであったことを特定することができる。
また、逆にイメージセンサ８の画素欠陥と再生側の像欠陥Ｇrとがなく、記録側の像欠陥ＧwとＳＬＭ１２の画素欠陥の少なくとも何れか一方があった場合は、記録側の欠陥のみであったことを特定することができる。
さらに、記録側の像欠陥ＧwとＳＬＭ１２の画素欠陥の少なくとも何れか一方と、イメージセンサ８の画素欠陥と再生側の像欠陥Ｇrの少なくとも何れか一方とがあった場合には、記録側と再生側の双方の欠陥であったことを特定することができる。
このようにしてイメージセンサ８の画素欠陥、像欠陥Ｇr、像欠陥Ｇw、ＳＬＭ１２の画素欠陥の有無について行った判定結果より、この欠陥Ｄ１とされる場合に発生する可能性のあった再生側のみ、記録側のみ、記録側と再生側の双方の各欠陥について、その別を特定することができる。
【００８８】
なお、ここでは説明の便宜上、欠陥Ｄ１画素についての再検出動作と欠陥Ｄ３画素についての再検出動作とを分けて説明したので、それらの再検出動作ごとに、その都度ＳＬＭ１２の全画素でbit１／bit０の変調をかけるかのように説明したが、このようなＳＬＭ１２の変調は、欠陥Ｄ１画素についての再検出動作と欠陥Ｄ３画素についての再検出とについてまとめて１回のみ行うものとすればよい。
すなわち、実際の再検出動作としては、bit１の変調が行われた状態で、イメージセンサ８上の欠陥Ｄ３画素から移動量Ｓslm、移動量Ｓwとなる画素の値を検出すると共に、さらに欠陥Ｄ１画素から移動量Ｓslm、移動量Ｓw、移動量Ｓrとなる画素の値の検出も行う。
また、bit０の変調が行われた状態で、イメージセンサ８上の欠陥Ｄ３画素から移動量Ｓslmとなる画素の値を検出すると共に、欠陥Ｄ１画素から移動量Ｓslmとなる画素の値も検出するようにする。
このようにＳＬＭ１２の１度のbit１／bit０の変調動作によって欠陥Ｄ３画素と欠陥Ｄ１画素とについての欠陥切り分けのために必要な再検出値を得ることができれば、その分これら欠陥３、欠陥Ｄ１ごとに変調を行う場合よりも判定動作に要する時間の短縮化を図ることできる。
【００８９】
ここで、上記のようにしてＳＬＭ１２のbit１の変調をかけたときに欠陥Ｄ１画素で得られた再検出値のことを「Ｐd1」と呼ぶ。また同bit１の変調をかけた際に欠陥画素（Ｄ１及びＤ３）からそれぞれ移動量Ｓslm、移動量Ｓw、移動量Ｓrとなる画素で得られた検出値のことを、それぞれ「Ｐｉon-1slm」「Ｐｉon-１w」「Ｐｉon-1r」と呼ぶ。
さらに、上記のようにＳＬＭ１２のbit０の変調をかけたときに欠陥画素（Ｄ１及びＤ３）から移動量Ｓslmとなる画素で得られた検出値については「Ｐｉon-0slm」と呼ぶ。
【００９０】
上記のようにして、欠陥Ｄ１又は欠陥Ｄ３が判定された画素については、チルトミラー１１を用いた各像の移動を行うことで、その同一光軸上において生じている可能性のあった再生側の像欠陥Ｇr、記録側の像欠陥Ｇw、ＳＬＭ１２の画素欠陥（欠陥Ｄ１についてはさらにイメージセンサ８の画素欠陥も）のそれぞれの有無を個別に判定することができる。そして、上記により説明したようにそれらの判定結果に基づき、実際に生じていた欠陥の発生態様の別（記録側のみ／再生側のみ／記録側と再生側の双方）を特定することができる。
【００９１】
そして、本実施の形態では、このように欠陥の発生態様の別が特定された後において、再生側の欠陥（イメージセンサ８の画素欠陥と再生側の像欠陥Ｇrのうち少なくとも何れか一方）が生じている画素があった場合に、オーバーサンプリング処理における平均化数を変更する動作も行うものとしている。
先にも述べたように、オーバーサンプリング処理としては、ホログラム記録媒体５に参照光を照射して得られる再生時の信号光（回折光）を拡大して、当該信号光の１画素分の値をイメージセンサ８上の複数画素で検出するようにし、それら複数画素の検出値の和を平均化して上記１画素分の値を検出するものである。なお、先にも述べたが、このように１画素分の値を読み出すためのイメージセンサ８上の複数の画素の各集合を、オーバーサンプリング画素ブロックと呼んでいる。
【００９２】
このようなオーバーサンプリングを行う場合において、再生側の欠陥が生じた場合は、何れかのオーバーサンプリング画素ブロックにおいて正常に値を検出できない画素が生じることとなる。このような状態でオーバーサンプリングが行われてしまった場合には、この欠陥画素を含むオーバーサンプリング画素ブロックにおいて１画素分の値を正確に検出することができなくなってしまう可能性がある。つまり、例えば１オーバーサンプリング画素ブロックが４画素から成るものとして、記録された１画素分の値がbit１で、欠陥画素が常時bit０となってしまう状態にあったと仮定すると、理想的には各画素の検出値は１＋１＋１＋１＝４となるべきものが、１＋１＋１＋０＝３となってしまう。そして、１オーバーサンプリング画素ブロックの最終的な検出出力としては、このような合計検出値を総画素数（この場合は「４」）で平均化したものとなるが、この場合は各画素の合計検出値は「３」であって最終的な検出出力は３／４となってしまい、理想的な検出出力４／４＝１と比較するとより小さな値が得られてしまう。つまり、このように欠陥画素が含まれる場合はオーバーサンプリングにより得られる１画素分の値が理想的な値からより離れてしまうケースがあり、この点で誤検出が生じ易くなるものである。
【００９３】
そこで本実施の形態では、再生側の欠陥が存在する場合に、当該欠陥の発生している位置と重なるオーバーサンプリング画素ブロックにおいて、その欠陥画素を使用しないようにすると共に、その欠陥画素の数に応じてオーバーサンプリング時の平均化数を変更するものとしている。つまり、平均化の分母の数を、１オーバーサンプリング画素ブロックの総画素数から欠陥画素の数を減算した値に変更するものである。
このようにすることで、例えば上記例では（１＋１＋１＋０）／４＝３／４が検出されていたものが（１＋１＋１）／３＝１が検出されるようになり、これによって欠陥画素をそのまま用いてオーバーサンプリングを行う場合よりもさらに正確な検出を行うことが可能となる。
【００９４】
ここで、再生側の欠陥の発生具合によっては、オーバーサンプリング画素ブロックにおける全ての画素が欠陥となることも可能性としてあり得る。そのような場合は、該当するオーバーサンプリング画素ブロック自体を使用しないようにする。
【００９５】
また、欠陥画素が全画素に及んではいないとしても、その欠陥画素を含むオーバーサンプリング画素ブロック全体を使用しないようにすることもできる。
例えばオーバーサンプリング画素ブロックの総画素数に対して欠陥画素数が比較的多い場合などには、正常画素があるとしても、適正に値を検出することができない可能性があり、その場合はオーバーサンプリング画素ブロック全体を使用しない方が定常的な再生信号品質悪化防止の面から好ましい場合もある。但し、これはシステムの性能にも依存することが考えられるため、本例では正常画素の使用有無を選択することが可能となるようにしている。
具体的に、例えば予めユーザ操作などに基づき、欠陥画素がある場合にはそのオーバーサンプリング画素ブロック全体を使用しない／使用するの設定が可能となるようにする。そして、使用しないとの設定が為されている場合は、欠陥画素を含むオーバーサンプリング画素ブロックを使用しないものとし、逆に使用するとの設定が為されている場合には、使用できる正常画素のみで平均化（この場合も平均化数は使用画素数に応じて変更）を行ってオーバーサンプリングを行うようにする。
【００９６】
これまでにおいて説明してきたように、本実施の形態の記録再生装置１によれば、先ず第１の機能として、レーザダイオードＬＤをオンとしてＳＬＭ１２の全画素でそれぞれbit１／bit０の変調をかけたときにイメージセンサ８の各画素で得られる検出値に基づく判定を行うことで、先ずは欠陥画素の有無自体について判定を行うことができる。
そして、この判定の結果、欠陥があるとされた画素については、第２の機能として、生じている欠陥の切り分け（再生側のみ、記録側のみ、記録側と再生側の双方）を行う。
つまり、先ずは上記bit１／bit０の変調をかけた際の検出値の値として「１，１」が得られた画素（欠陥Ｄ２画素）については、レーザダイオードＬＤをオフとして再度その値を検出する。このレーザダイオードＬＤをオフとしたときの検出値が「０」（つまり検出値パターンが「１，１，０」）となれば、その画素と同一光軸上で発生している欠陥が、記録側の欠陥のみ（ＳＬＭ１２がbit１で固定）であると特定することができる。
【００９７】
また、検出値パターンが「１，１，１」であった画素（欠陥Ｄ３画素）と、上記第１の機能においてbit１の変調をかけた際に得られた検出値が「０」であった画素（欠陥Ｄ１画素：検出値パターンが「０，０，０」となるべき画素）とについては、検出値パターンが特定されても欠陥の発生態様の別が特定できない画素となるので、チルトミラー１１を傾斜させて上述した条件を満たすように像移動を行った上で、必要な欠陥有無判定を行う。
つまり、欠陥Ｄ３画素についてはＳＬＭ１２の画素欠陥の有無判定と記録側の像欠陥Ｇwの有無判定を行う。
また、欠陥Ｄ１画素については、イメージセンサ８の画素欠陥、再生側の像欠陥Ｇr、記録側の像欠陥Ｇw、ＳＬＭ１２の画素欠陥の全ての有無判定を行う。
これらの判定結果から、欠陥Ｄ１、欠陥Ｄ３と判定された画素で実際に生じていた欠陥が再生側のみ、記録側のみ、記録側と再生側の双方、の何れであるかを特定することができる。
【００９８】
このようにして本実施の形態によれば、欠陥があるとされたすべての画素について、再生側のみの欠陥、記録側のみの欠陥、記録側と再生側の双方の欠陥の別を判定することができる。
【００９９】
ここで、欠陥の発生態様が特定できれば、例えばその欠陥が記録側のみであった場合は、その欠陥有りとされたイメージセンサ８上の画素と同一光軸上となるＳＬＭ１２の画素を、記録時に使用しない対策を採ることができる。そして、このような対策を採ることで、信号記録品質の定常的な悪化の防止を図ることができる。
また、欠陥が再生側のみであった場合は、再生時に当該欠陥有りとされたイメージセンサ８上の画素を使用しない対策を採ることができ、これによって信号再生品質の定常的な悪化の防止を図ることができる。
また、記録側と再生側の双方の欠陥であるとされた場合には、再生時においては、その欠陥有りとされたイメージセンサ８上の画素を使用せず、また記録時にはその欠陥有りとされたイメージセンサ８上の画素と同一光軸上となるＳＬＭ１２の画素を使用しないという対策を採ることができ、これによって記録再生品質の定常的な悪化の防止を図ることができる。
【０１００】
また、特に再生側の欠陥であるとされたイメージセンサ８上の画素については、オーバーサンプリング時に当該欠陥画素を使用しないようにすると共に、当該欠陥画素が含まれるオーバーサンプリング画素ブロックにおけるオーバーサンプリング時の平均化数を欠陥画素の数に応じて変更する動作を行うようにしている。このようにすることで、欠陥画素をそのまま用いてオーバーサンプリング処理を行う場合よりもさらに正確な検出を行うことが可能となる。
【０１０１】
また、本実施の形態では、上記のような欠陥の発生態様の別の特定をするにあたって、イメージセンサ８の画素欠陥、ＳＬＭ１２の画素欠陥の発生パターンを実際に起こり得るもののみに限定して定義している。このことにより、各判定動作の際には、先の図１２（ｂ）に示したような実際に生じ得る検出値パターンについてのみ検証するもので足るものとでき、このことで判定動作の高速化が図られている。
【０１０２】
なお、欠陥画素の発生個数によっては、エラーレートが所定以上となって記録又は再生が不能な状態となることが予想される。このことを踏まえ、本実施の形態としては、上述した第１の機能としての欠陥の有無の判定を行った結果より、欠陥有りとされた画素の個数をカウントし、この欠陥画素数の値に基づいて光学系の故障判定を行うようにすることもできる。 
【０１０３】
４．処理動作
続いては、図１６〜図２１のフローチャートを参照して、上記により説明した本実施の形態の形態としての欠陥判定動作を実現するために実行されるべき処理動作について説明する。
なお、これらの図に示される処理動作は、図１１に示したシステムコントローラ１５が例えば自らが備えるＲＯＭ等に格納されるプログラム（図示せず）に基づいて実行するものである。
【０１０４】
先ず図１６〜図２０は、欠陥画素の有無判定から、欠陥有りとされた画素の欠陥内容の特定までに対応して行われるべき一連の処理動作について示している。具体的に、図１６では、欠陥画素の有無判定と欠陥Ｄ１画素（「０，０，０」）及び欠陥Ｄ２画素（「１，１」）の判定に対応して行われるべき処理動作を示している。また、図１７は、欠陥Ｄ２画素についてレーザダイオードＬＤをオフとした再検出を行うことで、欠陥Ｄ３画素（「１，１，１」）との切り分けを行う際に対応して行われるべき処理動作について示している。
さらに図１８は、欠陥Ｄ１画素、欠陥Ｄ３画素について行われる各欠陥の有無判定のための再検出動作に対応して行われるべき処理動作について示し、図１９は図１８に示す処理により得られた再検出結果に基づき欠陥Ｄ１画素について各欠陥の有無判定を行う際の処理動作を、また図２０は図１８に示す処理動作により得られた再検出結果に基づき欠陥Ｄ３画素について各欠陥の有無判定を行う際の処理動作を示している。
さらに、図２１では、再生側の欠陥がある場合に応じてオーバーサンプリング処理の設定を変更する動作に対応して行われるべき処理動作について示している。
【０１０５】
先ず、図１６において、ステップＳ１０１では、ＳＬＭ１２の全画素をbit１に設定するための処理を行う。つまり、図１１に示したデータ変調部１４に対する指示を行ってＡＬＬbit１となるデータを生成させ、このデータに基づく駆動信号によりＳＬＭ１２の各画素が駆動されるようにすることで、ＳＬＭ１２の全画素がbit１となるように制御する。
そして、ステップＳ１０２では、レーザＯＮ処理として、図１１に示したレーザダイオードＬＤをオンとするための制御処理を行う。
【０１０６】
その上で、ステップＳ１０３では、イメージセンサ８の全画素の検出値（Ｐon-1）を取得し、さらにステップＳ１０４において、取得したそれら検出値Ｐon-1を画素位置対応に保持するための処理を行う。なお、このようなイメージセンサ８の画素位置対応に保持する検出値（Ｐon-1、及び後述するＰon-0、Ｐd2、Ｐd1、Ｐon-1slm、Ｐon-1w、Ｐon-1r、Ｐon-0slmについても同様）の情報については、例えばシステムコントローラ１５が備えるＲＡＭ等に一時保持するものとすればよい。
【０１０７】
続いて、ステップＳ１０５・Ｓ１０６・Ｓ１０７では、bit０の変調に対する検出値Ｐon-0を得るための処理を行う。つまり、先ずステップＳ１０５ではＳＬＭ１２の全画素をbit０に設定するための処理を行い、ステップＳ１０６にてイメージセンサ８の全画素の検出値Ｐon-0を取得し、さらにステップＳ１０７において取得した検出値Ｐon-0を画素位置対応に保持する処理を行う。
【０１０８】
そして、ステップＳ１０８では、対象画素の選択を行う。すなわち、イメージセンサ８上の全画素のうちから、判定の対象とする１つの画素を例えば予め定められた順序に従って選択するための処理となる。
その上で、先ずステップＳ１０９においては、このように選択された画素の検出値Ｐon-1がbit１に対応した値となっているか否かについて判別処理を行う。
なお、先にも述べたように、仮に生じている欠陥が像欠陥Ｇのみの場合には、コントラストの低下のみでデータ欠落には至らない場合もある。例えばこのようなことを考慮し、検出値Ｐon-1がbit１であるか否かについての判別は、所定の判定閾値（図中Ｄth1）に基づいて行う。この判定閾値Ｄth1の値については、例えば予めＳＬＭ１２でbit１の変調をかけた際のイメージセンサ８の出力特性等について実験を行った結果などに基づき決定すればよい。
【０１０９】
上記ステップＳ１０９において、検出値Ｐon-1がbit１ではないとして否定結果が得られた場合は、ステップＳ１１２に進み、欠陥Ｄ１画素であると判定する。つまり、このようにＳＬＭ１２のbit１の変調に対する検出値Ｐon-1がbit１ではない（つまりbit０である）画素については、先の図１２（ｂ）より検出値パターン「０，０，０」となるべき画素であるので、当該画素が欠陥Ｄ１画素であると判定する。
ステップＳ１１２の処理によって欠陥Ｄ１画素であるとの判定を行うと、ステップＳ１１４に進み、欠陥内容と画素位置とを対応づけて保持するための処理を行う。このような欠陥画素の画素位置とその欠陥内容との対応づけの情報としても、例えばシステムコントローラ１５が備えるＲＡＭ等に一時保持するものとすればよい。
ステップＳ１１４の処理を実行すると、ステップＳ１１５において全画素の判定が終了したか否かについて判別処理を行う。全画素についての判定が未だ終了してはいないとして否定結果が得られた場合は、先のステップＳ１０８に戻り、対象画素を選択する処理を行うようにされる。つまりこの場合は次の対象画素の選択を行うものとなる。また、ステップＳ１１５において全画素についての判定が終了したとして肯定結果が得られた場合は、後述する図１７の処理に進むようにされる。
【０１１０】
一方、上記ステップＳ１０９において検出値Ｐon-1がbit１であるとして肯定結果が得られた場合は、ステップＳ１１０において、検出値Ｐon-0がbit０であるか否かについて判別処理を行う。このbit０であるか否かについての判別としても、例えば予めＳＬＭ１２でbit０の変調をかけた際（或いは遮光時）のイメージセンサ８の出力特性等について実験を行った結果に基づき決定した判定閾値Ｄth0に基づき行うようにされる。
【０１１１】
ステップＳ１１０において検出値Ｐon-0がbit０であるとして肯定結果が得られた場合は、当該画素の検出値はbit１の変調、bit０の変調に対し「１，０」となり、図１２（ｂ）における検出値パターン「１，０，０」となるべき画素となることがわかる。従って、図示するように続くステップＳ１１１において、当該画素が正常画素であるとの判定を行う。
なお、本例の場合、正常画素については特段の処理を要するものではないので、先の欠陥画素の場合のようにその画素位置の情報を特に保持する必要はない。すなわち、この場合は欠陥画素についてのみその画素位置の情報と欠陥内容とが保持されるもので、それ以外の画素が全て正常画素であるとの特定が可能となるようにされている。
ステップＳ１１１において正常画素であるとの判定を行うと、先に説明したステップＳ１１５に処理を進めるようにされる。
【０１１２】
また、上記ステップＳ１１０において、検出値Ｐon-0がbit０ではないとして否定結果が得られた場合は、ステップＳ１１３に進み欠陥Ｄ２画素であるとの判定を行う。つまり、ステップＳ１１０にて否定結果が得られたということは、ＳＬＭ１２のbit１、bit０の変調に対する検出値が「１，１」となるもので、検出値パターンが「１，１，０」か「１，１，１」の何れかとなり得る欠陥Ｄ２画素であるということになる。
そして、このステップＳ１１３にて欠陥Ｄ２画素の判定を行った後も、先のステップＳ１１４に進んで欠陥内容と画素位置を対応づけて保持した上で、ステップＳ１１５に処理を進めるようにされる。
先にも述べたように、このステップＳ１１５にて全画素の判定が終了したとされた場合は、図１７に示す処理に進むようにされる。
【０１１３】
続いて、図１７において、先ずステップＳ２０１では、欠陥Ｄ２画素が存在するか否かについて判別処理を行う。このステップＳ２０１において、上述のＲＡＭ等に保持された画素位置と欠陥内容との対応情報を参照した結果、欠陥Ｄ２画素が存在しないとして否定結果が得られた場合は、図示するようにしてステップＳ２１１に進み、欠陥Ｄ１画素又は欠陥Ｄ３画素の何れかが存在するか否かについて判別処理を行うようにされる。
このステップＳ２１１において、欠陥Ｄ１、欠陥Ｄ３の何れの画素も存在しないとして否定結果が得られた場合は、判定動作の結果として欠陥Ｄ１、欠陥Ｄ２、欠陥Ｄ３の画素が１つも存在しないこととなる。つまり、この場合は全ての画素が正常であることとなるもので、従ってその場合は図２１に示されるようにして処理動作を終了するようにされる。
また、ステップＳ２１１において、欠陥Ｄ１画素又は欠陥Ｄ３画素の何れかが存在するとして肯定結果が得られた場合は、後述する図１８の処理に進むようにされる。
【０１１４】
一方、上記ステップＳ２０１において、欠陥Ｄ２画素が存在するとして肯定結果が得られた場合は、以下のステップＳ２０２〜Ｓ２１０により、欠陥Ｄ２画素についての判定（「１，１，０」or「１，１，１」との切り分け）のための処理を実行する。
【０１１５】
つまり、先ずはステップＳ２０２において、レーザＯＦＦ処理として、レーザダイオードＬＤをオフとするための制御処理を行う。
その上で、ステップＳ２０３では、欠陥Ｄ２画素と判定された画素の検出値（Ｐd2）をそれぞれを再検出し、続くステップＳ２０４ではこれら検出値Ｐd2を画素位置対応に保持する処理を実行する。
【０１１６】
なお、ここでは説明の便宜上、欠陥Ｄ２画素が存在すると判定されたタイミングでレーザダイオードＬＤをオフとするものとしたが、これによるとレーザダイオードＬＤは、先の図１６におけるステップＳ１０２から図１７のステップＳ２０２までの間オン状態が継続されることになる。すなわち、レーザダイオードＬＤをオンとして行う必要のあるＳ１０７の処理が終了した後も、不必要にレーザダイオードＬＤがオンされ続けているものとなる。
そこで、レーザダイオードＬＤをオフとするタイミングとしては、上記ステップＳ１０７が終了したタイミングとすることもできる。或いはステップＳ１０３、Ｓ１０７の検出値取得処理ごとにオン／オフすることもできる。
このようにすることで、不必要にレーザダイオードＬＤがオンされ続けるといった事態を回避することができ、その分消費電力の削減などを図ることができる。
【０１１７】
続くステップＳ２０５では、再検出画素から対象画素を選択する。つまり、検出値Ｐd2を再検出した欠陥Ｄ２画素のうちから、判定対象とする１つの画素を選択するものである。
そして、このように対象画素を選択すると、ステップＳ２０６において、検出値Ｐd2がbit０であるか否かについての判別処理を行う。このステップＳ２０６において、検出値Ｐd2がbit０であるとして肯定結果が得られた場合は、当該画素の検出値パターンは「１，１，０」となるので、その場合は図示するようにステップＳ２０７に進みＳＬＭ１２の画素欠陥であるとの判定を行う。
なお、前述の説明からも理解されるように、システムコントローラ１５は、このような「ＳＬＭ１２の画素欠陥」との判定結果より、その画素と同一光軸上に生じている欠陥が記録側の欠陥のみであることを特定することができる。
【０１１８】
一方ステップＳ２０６において検出値Ｐd2がbit０ではないとして否定結果が得られた場合は、検出値パターンが「１，１，１」となるので、その場合はステップＳ２０８に進み欠陥Ｄ３画素であるとの判定を行うようにされる。
【０１１９】
そして、上記ステップＳ２０７にてＳＬＭ１２の画素欠陥を判定した後、または上記ステップＳ２０９にて欠陥Ｄ３画素を判定した後のステップＳ２０９においては、欠陥内容と画素位置とを対応づけて保持するための処理を実行するようにされる。
さらに、続くステップＳ２１０では、全ての欠陥Ｄ２画素についての判定が終了したか否かについて判別処理を行い、未だ全てのＤ２画素について判定が終了していないとして否定結果が得られた場合は、先のステップＳ２０５に戻るようにされ、対象画素の再選択を行うようにされる。
また、ステップＳ２１０において全ての欠陥Ｄ２画素について判定が終了したとして肯定結果が得られた場合は、先に説明したステップＳ２１１に進み、欠陥Ｄ１画素又は欠陥Ｄ３画素の何れかが存在するか否かについて判別処理を行う。そして、先にも述べたように欠陥Ｄ１画素又は欠陥Ｄ３画素の何れも存在しないとして否定結果が得られた場合は、図２１に示されるようにして処理動作を終了し、欠陥Ｄ１画素又は欠陥Ｄ３画素の何れかが存在するとして肯定結果が得られた場合は図１８の処理に進むようにされる。
【０１２０】
図１８において、先ずステップＳ３０１では、
・ＳＬＭ１２の画素欠陥、記録側の像欠陥Ｇw、再生側の像欠陥Ｇrの各像がイメージセンサ８上の正常な画素に入射
・ＳＬＭ１２の画素欠陥の像、記録側の像欠陥Ｇwの像、再生側の像欠陥Ｇrの像がイメージセンサ８上の同一画素に重ならないように入射
・ＳＬＭ１２の画素欠陥の像、像欠陥Ｇwの像、像欠陥Ｇrの像とが傾斜後の同一光軸上で重ならないようにイメージセンサ８に入射
という条件を満たすようにして像を移動させるための処理を実行する。
つまり、これまでの判定処理から欠陥有りとされたイメージセンサ８上の画素とそれぞれ同一光軸上に生じている可能性のある各欠陥の像（つまりＳＬＭ１２の画素欠陥と判定された画素についてはその画素と同一光軸上にあるＳＬＭ１２の画素欠陥の像、また欠陥Ｄ１、欠陥Ｄ３と判定された画素についてはその画素と同一光軸上に生じうるＳＬＭ１２の画素欠陥の像、記録側の像欠陥Ｇwの像、再生側の像欠陥Ｇrの像）の、チルトミラー１１の傾斜角度に応じたイメージセンサ８上での移動量の情報と、同じくチルトミラー１１の傾斜角度に応じたＳＬＭ１２の画素欠陥の像の対物レンズ４及びエキスパンダレンズ７上での入射位置、記録側の像欠陥Ｇwの像のエキスパンダレンズ７上の入射位置の情報に基づき、上記の条件が満たされるチルトミラー１１の傾斜角度を例えば計算により求める。
そして、このようにして求めた傾斜角度によりミラー面が傾斜するように、チルトミラー１１に対する制御を行う。
なお、先にも述べたように上記３条件を満たすチルトミラー１１の傾斜角度を求める手法としては多様に考えられるものであり、ここで特に限定はしない。
【０１２１】
なお、例えば欠陥有りとされる画素が比較的多い場合等には、チルトミラー１１の一度の傾斜により全ての欠陥画素について上記の条件を満たすことができない場合も有り得る。そのような場合には、判定対象とする欠陥画素を何組かに分けた上で、それらの組ごとに上記の条件が満たされるようにチルトミラー１１の傾斜角度を調整して以下の欠陥内容の切り分けのための処理（像移動後の再検出動作、再検出結果に基づく各欠陥の有無判定）を行うようにすることもできる。
【０１２２】
続くステップＳ３０２においては、先のステップＳ１０２と同様にＳＬＭ１２の全画素をbit１に設定するための処理を行う。さらにステップＳ３０３ではレーザＯＮ処理として、先のステップＳ１０３と同様にレーザダイオードＬＤをオンとするための制御処理を行う。
【０１２３】
そして、ステップＳ３０４ではイメージセンサ８上の欠陥Ｄ１と判定された画素の検出値（Ｐd1）を取得する。また、続くステップＳ３０５では、この検出値Ｐd1を画素位置対応に保持する。なお、この検出値（再検出値）Ｐd1は、イメージセンサ８の画素欠陥の有無を判定するために必要な検出値となる。
【０１２４】
また、ステップＳ３０６では、イメージセンサ８上の欠陥Ｄ１、欠陥Ｄ３と判定された画素からそれぞれ移動量Ｓslm、移動量Ｓw、移動量Ｓrとなる画素の検出値（Ｐion-1slm、Ｐion-1w、Ｐion-1r）を取得する。なお、移動量Ｓslm、Ｓw、Ｓrについては、設定されたチルトミラー１１の傾斜角度とイメージセンサ８からＳＬＭ１２、対物レンズ４、エキスパンダレンズ７までの各距離とによって求めることができる。
そして、続くステップＳ３０７では、このようにして取得した検出値（Ｐion-1slm、Ｐion-1w、Ｐion-1r）を画素位置対応に保持する。これら検出値Ｐion-1slm、Ｐion-1w、Ｐion-1rは、それぞれ欠陥Ｄ１画素、欠陥Ｄ３画素と同一光軸上に生じている可能性のあるＳＬＭ１２の画素欠陥、記録側の像欠陥Ｇw、再生側の像欠陥Ｇrの有無について判定を行うために必要な検出値となる。
なお、前述の動作説明からも理解されるように、欠陥Ｄ３と判定された画素についてはイメージセンサ８の画素欠陥（つまり再生側の欠陥）は確定となり、欠陥発生態様の別の特定の観点からは、あとは記録側の欠陥の有無（つまりＳＬＭ１２の画素欠陥の有無、記録側の像欠陥Ｇwの有無）が判定されれば足るものである。従って上記ステップＳ３０６においては、欠陥Ｄ３についての再生側の像欠陥Ｇrの有無を判定するための、欠陥Ｄ３画素から移動量Ｓrとなる画素の検出値の取得は不要とすることができる。
【０１２５】
続いて、ステップＳ３０８においては、ＳＬＭ１２の全画素をbit０に設定するための処理を行う。そしてステップＳ３０９においては、イメージセンサ８上の欠陥Ｄ１、欠陥Ｄ３と判定された画素から移動量Ｓslmとなる画素の検出値（Ｐion-0slm）を取得する。さらに続くステップＳ３１０では、検出値（Ｐion-0slm）を画素位置対応に保持する。この検出値Ｐion-0slmは、ＳＬＭ１２の画素欠陥の有無について判定するために必要な値となる。
【０１２６】
ステップＳ３１０の処理を実行すると、ステップＳ３１１に進んでレーザＯＦＦ処理、すなわちレーザダイオードＬＤをオフとする処理を行った後に、次の図１９に示す処理に進むようにされる。
【０１２７】
図１９は、主に欠陥Ｄ１画素と同一光軸上に生じている可能性のある各欠陥の有無判定を行うための処理となる。
先ず、ステップＳ４０１では、欠陥Ｄ１画素が存在するか否かについて判別処理を行う。欠陥Ｄ１画素が存在しないとして否定結果が得られた場合は、後の図２０に示すステップＳ５０１に処理を進めるようにされる。
また、欠陥Ｄ１画素が存在するとして肯定結果が得られた場合は、ステップＳ４０２において、欠陥Ｄ１画素から対象画素を選択する処理を行う。つまり、欠陥Ｄ１画素であるとして保持されるイメージセンサ８上の画素のうちから１つの画素を対象画素として選択する。
【０１２８】
そしてステップＳ４０３においては、選択した欠陥Ｄ１画素の検出値Ｐd1がbit１であるか否かについての判別処理を行う。検出値Ｐd1がbit１ではないとして否定結果が得られた場合は、ステップＳ４０４に進んでイメージセンサ８の画素欠陥であると判定する。
すなわち、この検出値Ｐd1としての、チルトミラー１１の傾斜による各像の移動を行った後の欠陥Ｄ１画素におけるＳＬＭ１２のbit１の変調時の検出値が、bit１でないということは、当該欠陥Ｄ１画素においてbit０で固定となる欠陥が生じていることが判明するからである。
ステップＳ４０４の処理を実行すると、後述するステップＳ４０５に処理を進める。
【０１２９】
一方、ステップＳ４０３において選択した欠陥Ｄ１画素の検出値Ｐd1がbit１であったとして肯定結果が得られた場合は、ステップＳ４０４におけるイメージセンサ８の画素欠陥の判定は行わず、そのままステップＳ４０５に進むようにされる。
【０１３０】
ステップＳ４０５では、検出値Ｐion-1slmがbit１であるか否かについて判別処理を行う。すなわち、先のステップＳ４０２にて選択した欠陥Ｄ１画素から移動量Ｓslmとなる画素における、ＳＬＭ１２でbit１の変調をかけた際の検出値が、bit１となっているか否かについて判別を行う。
検出値Ｐion-1slmがbit１であるとして肯定結果が得られた場合は、ステップＳ４０６において、今度は検出値Ｐion-0slmがbit０であるか否かについて判別を行う。すなわち、ステップＳ４０２にて選択した欠陥Ｄ１画素から移動量Ｓslmとなる画素における、ＳＬＭ１２でbit０の変調をかけた際の検出値がbit０となっているか否かについて判別を行う。
そして、このステップＳ４０６において、検出値Ｐion-0slmがbit０であるとして肯定結果が得られた場合は、bit１の変調に対してはbit１が、またbit０の変調に対してはbit０が得られたことになるので、ＳＬＭ１２の画素欠陥が生じていないことが判明する。従ってその場合は、図示するようにしてそのままステップＳ４０８に処理を進めるようにされる。
【０１３１】
一方、ステップＳ４０５において検出値Ｐion-1slmがbit１ではないとして否定結果が得られた場合、またはステップＳ４０６にて検出値Ｐion-0slmがbit０ではないとして否定結果が得られた場合は、それぞれＳＬＭ１２の該当する画素がbit０で固定、又はbit１で固定となっていることが判明するので、これらの場合は図示するようにしてステップＳ４０７に進み、ＳＬＭ１２の画素欠陥であると判定する。そしてその後、ステップＳ４０８に進むようにされる。
【０１３２】
ステップＳ４０８〜Ｓ４１１では、再生側の像欠陥Ｇr、記録側の像欠陥Ｇwの有無判定のための処理を行うようにされる。
先ずステップＳ４０８では、検出値Ｐion-1rがbit１であるか否かについて判別処理を行う。すなわち、ステップＳ４０２にて選択した欠陥Ｄ１画素から移動量Ｓrとなる画素において、ＳＬＭ１２でbit１の変調をかけたときに得られた検出値がbit１となっているか否かについて判別する。このステップＳ４０８において、検出値Ｐion-1rがbit１ではないとして否定結果が得られたということは、再生側の像欠陥Ｇrがあったことが判明する。このため、その場合はステップＳ４０９において再生側の像欠陥Ｇrがったとの判定を行う。そしてその後、ステップＳ４１０に進むようにされる。
一方、ステップＳ４０８において検出値Ｐion-1rがbit１であるとして肯定結果が得られた場合は、再生側の像欠陥Ｇrはないことが判明するので、そのまま次のステップＳ４１０に処理を進めるようにされる。
【０１３３】
ステップＳ４１０では、検出値Ｐion-1wがbit１であるか否かについて判別処理を行う。すなわち、ステップＳ４０２にて選択した欠陥Ｄ１画素から移動量Ｓwとなる画素において、ＳＬＭ１２でbit１の変調をかけたときに得られた検出値がbit１となっているか否かについて判別する。このステップＳ４１０において、検出値Ｐion-1wがbit１ではないとして否定結果が得られた場合は、記録側の像欠陥Ｇwがあったことが判明するので、ステップＳ４１１において記録側の像欠陥Ｇwがあったとの判定を行う。そしてその後、ステップＳ４１２に進むようにされる。
一方、ステップＳ４１０において検出値Ｐion-1wがbit１であるとして肯定結果が得られた場合は、記録側の像欠陥Ｇwはないことが判明するので、そのまま次のステップＳ４１２に処理を進めるようにされる。
【０１３４】
ステップＳ４１２では、欠陥内容と画素位置とを対応づけて保持するための処理を行う。すなわち、ステップＳ４０４、ステップＳ４０７、ステップＳ４０９、ステップＳ４１１の少なくとも何れかで判定された欠陥の内容と、ステップＳ４０２にて選択した欠陥Ｄ１画素の画素位置とを対応づけて保持するものである。
システムコントローラ１５は、このようにして画素位置対応に保持される対応情報に基づき、その画素位置の同一光軸上で発生している欠陥の発生態様を特定することができるようになる。なお、このような対応情報としても、例えばシステムコントローラ１５が備えるＲＡＭ等に保持するものとすればよい。
【０１３５】
続くステップＳ４１３では、全ての欠陥Ｄ１画素についての判定が終了したか否かについて判別処理を行う。全ての欠陥Ｄ１画素について未だ判定が終了していないとして否定結果が得られた場合は、先のステップＳ４０２に戻り、対象画素の再選択を行うようにされる。
また、全ての欠陥Ｄ１画素について判定が終了したとして肯定結果が得られた場合は、次の図２０に示す処理に進むようにされる。
【０１３６】
図２０は、主に欠陥Ｄ３画素と同一光軸上に生じている可能性のある各欠陥の有無判定を行うための処理となる。前述もしたように、欠陥Ｄ３画素と同一光軸上で生じ得る欠陥としては、イメージセンサ８の画素欠陥（bit１で固定）は確定で、後は記録側の欠陥があるか否かについて判定を行えば足るものとなる。すなわち、この場合の欠陥の有無の判定は、ＳＬＭ１２の画素欠陥の有無、記録側の像欠陥Ｇwの有無についてのみ行うようにされる。
【０１３７】
図２０において、先ずステップＳ５０１では、欠陥Ｄ３画素が存在するか否かについて判別処理を行う。欠陥Ｄ３画素が存在しないとして否定結果が得られた場合は、後の図２１に示すステップＳ６０１に処理を進めるようにされる。
また、ステップＳ５０１において、欠陥Ｄ３画素が存在するとして肯定結果が得られた場合は、次のステップＳ５０２において、欠陥Ｄ３画素から対象画素を選択する処理を行う。つまり、欠陥Ｄ３画素であるとして保持されるイメージセンサ８上の画素のうちから１つの画素を対象画素として選択する。
そして、この場合は続くステップＳ５０３において、先ずはこのように選択された欠陥Ｄ３画素について、イメージセンサ８の画素欠陥があったとの判定を行う。
【０１３８】
続くステップＳ５０４では、検出値Ｐion-1slmがbit１であるか否かについて判別処理を行う。すなわち、先のステップＳ５０２にて選択した欠陥Ｄ３画素から移動量Ｓslmとなる画素における、ＳＬＭ１２でbit１の変調をかけた際の検出値がbit１となっているか否かについて判別を行う。
検出値Ｐion-1slmがbit１であるとして肯定結果が得られた場合は、ステップＳ５０５において、今度は検出値Ｐion-0slmがbit０であるか否かについて判別を行う。すなわち、ステップＳ５０２にて選択した欠陥Ｄ３画素から移動量Ｓslmとなる画素における、ＳＬＭ１２でbit０の変調をかけた際の検出値がbit０となっているか否かについて判別を行う。  そして、このステップＳ５０５において、検出値Ｐion-0slmがbit０であるとして肯定結果が得られた場合は、bit１の変調に対してはbit１が、またbit０の変調に対してはbit０が得られたことになるので、ＳＬＭ１２の画素欠陥が生じていないことが判明する。従ってその場合は、図示するようにしてそのままステップＳ５０７に処理を進めるようにされる。
【０１３９】
一方、ステップＳ５０４にて検出値Ｐion-1slmがbit１ではないとして否定結果が得られた場合、またはステップＳ５０５にて検出値Ｐion-0slmがbit０ではないとして否定結果が得られた場合は、それぞれＳＬＭ１２の該当する画素がbit０で固定、又はbit１で固定となっていることが判明するので、これらの場合は図示するようにしてステップＳ５０６に進み、ＳＬＭ１２の画素欠陥であると判定した後、ステップＳ５０７に進むようにされる。
【０１４０】
ステップＳ５０７では、検出値Ｐion-1wがbit１であるか否かについて判別処理を行う。すなわち、ステップＳ５０２にて選択した欠陥Ｄ３画素から移動量Ｓwとなる画素において、ＳＬＭ１２でbit１の変調をかけたときに得られた検出値がbit１となっているか否かについて判別する。このステップＳ５０７において、検出値Ｐion-1wがbit１ではないとして否定結果が得られた場合は、記録側の像欠陥Ｇwがあったことが判明するので、ステップＳ５０８において記録側の像欠陥Ｇwがあったとの判定を行う。そしてその後、ステップＳ５０９に進むようにされる。
一方、ステップＳ５０７において検出値Ｐion-1wがbit１であるとして肯定結果が得られた場合は、記録側の像欠陥Ｇwはないことが判明するので、そのまま次のステップＳ５０９に処理を進めるようにされる。
【０１４１】
ステップＳ５０９では、欠陥内容と画素位置とを対応づけて保持するための処理を行う。すなわち、この場合はステップＳ５０３にて判定されたイメージセンサ８の画素欠陥のみか、或いはこのイメージセンサ８の画素欠陥と共にステップＳ５０６にて判定されるＳＬＭ１２の画素欠陥又はステップＳ５０８にて判定される記録側の像欠陥Ｇwの少なくとも何れか一方とによるものとなる欠陥内容と、ステップＳ５０２にて選択した欠陥Ｄ３画素の画素位置とを対応づけて保持するようにされる。
システムコントローラ１５は、このようにして画素位置対応に保持される対応情報に基づき、その画素位置の同一光軸上で発生している欠陥の発生態様を特定することができる。
【０１４２】
続くステップＳ５１０では、全ての欠陥Ｄ３画素についての判定が終了したか否かについて判別処理を行う。全ての欠陥Ｄ３画素について未だ判定が終了していないとして否定結果が得られた場合は、先のステップＳ５０２に戻り、対象画素の再選択を行うようにされる。
また、全ての欠陥Ｄ３画素について判定が終了したとして肯定結果が得られた場合は、次の図２１に示す処理に進むようにされる。
【０１４３】
図２１は、再生側の欠陥が存在する場合に対応してオーバーサンプリング処理の設定を変更するための処理となる。
先ずステップＳ６０１では、再生側の欠陥が存在するか否かについての判別処理を行う。ここで、欠陥があるとされた画素のうち、欠陥Ｄ３画素については、前述もしているようにイメージセンサ８の画素欠陥（つまり再生側の欠陥）が確定となるので、欠陥Ｄ３画素が存在する場合はその全てに再生側の欠陥が生じていることになる。また、欠陥Ｄ１画素については、再生側の欠陥が生じていない場合もある。なお、欠陥Ｄ２から検出値パターン「１，１，０」が判定された画素としては、ＳＬＭ１２の画素欠陥（つまり記録側の欠陥）のみしかあり得ないものとなる。
これらを踏まえると、再生側の欠陥が存在するか否かは、欠陥Ｄ３画素が存在するか否か、及び欠陥Ｄ１画素が存在する場合でその欠陥内容としてイメージセンサ８の画素欠陥又は再生側の像欠陥Ｇrの何れか一方を含む画素が存在するか否かを判別することで確認できることがわかる。
従ってステップＳ６０１では、このように欠陥Ｄ３画素が存在するか否か、及び欠陥Ｄ１画素が存在する場合でその欠陥内容としてイメージセンサ８の画素欠陥又は再生側の像欠陥Ｇrの何れか一方を含む画素が存在するか否かを判別するようにされる。
【０１４４】
これらステップＳ６０１としての判別処理のうち、少なくとも何れかで肯定結果が得られた場合は、再生側の欠陥が存在するとして肯定結果を得て、ステップＳ６０２に処理を進めるようにされる。
一方、逆に何れの判別においても否定結果が得られた場合は、再生側の欠陥は存在しないものとして否定結果を得て、図示するようにして処理動作を終了するようにされる。
【０１４５】
上記ステップＳ６０２では、欠陥を含むオーバーサンプリング画素ブロックを特定するための処理を行う。すなわち、ステップＳ６０１の判別処理によって再生側の欠陥を含むとされた欠陥画素の画素位置の情報に基づき、イメージセンサ８上の各オーバーサンプリング画素ブロックのうち、その欠陥画素が含まれるオーバーサンプリング画素ブロックを特定する。
そして、次のステップＳ６０３では、対象とするオーバーサンプリング画素ブロックを選択するための処理を行う。すなわち、上記ステップＳ６０２にて欠陥画素を含むとされたオーバーサンプリング画素ブロックのうちから、１つのオーバーサンプリング画素ブロックを選択するものである。
【０１４６】
続くステップＳ６０４では、全ての画素が欠陥画素であるか否かについて判別処理を行う。つまり、選択された１オーバーサンプリング画素ブロックを構成する画素のうち、全ての画素が欠陥画素であるか否かについて判別する。
このステップＳ６０４において、全ての画素が欠陥画素であるとして肯定結果が得られた場合は、ステップＳ６０６に進み、該当するオーバーサンプリング画素ブロックは使用しないようにするための処理を行う。つまり、システムコントローラ１５は、ステップＳ６０３にて選択されたオーバーサンプリング画素ブロックについては、以降におけるオーバーサンプリング処理時にこれが使用されないようにするために、図１１に示したデータ復調部１３の設定が変更されるように制御を行う。
そして、このステップＳ６０６の処理を実行すると、ステップＳ６０９に進み、次対象のオーバーサンプリング画素ブロックがあるか否かについて判別処理を行う。このステップＳ６０９において、対象とすべき次のオーバーサンプリング画素ブロックがあるとして肯定結果が得られた場合は、先のステップＳ６０３に戻り、オーバーサンプリング画素ブロックの選択を再度行うようにされる。また、ステップＳ６０９において次対象のオーバーサンプリング画素ブロックがないとして否定結果が得られた場合は、図示するようにして処理動作を終了するようにされる。
【０１４７】
一方、先のステップＳ６０４において、全ての画素が欠陥画素ではないとして否定結果が得られた場合は、ステップＳ６０５に進み、残りの正常画素を使用するか否かについて判別処理を行う。すなわち、このようなステップＳ６０５の判別処理を設けることで、前述もしたように正常画素の使用有無を選択できるようにされている。
具体的に、このステップＳ６０５における判別処理としては、例えば予めユーザ操作などに基づき設定された画素使用有無の情報に基づいて行うようにされる。つまり、欠陥画素がある場合においてそのオーバーサンプリング画素ブロック全体を使用しないとの設定が為されている場合は、当該ステップＳ６０５の判別処理では否定結果を得るようにされ、また逆に使用するとの設定が為されている場合には、肯定結果を得るようにされる。
ステップＳ６０５において、残りの正常画素を使用しないとして否定結果が得られた場合には、先に説明したステップＳ６０６において、該当するオーバーサンプリング画素ブロックを使用しないようにするための処理を行うようにされる。
【０１４８】
また、ステップＳ６０５において、残りの正常画素を使用するとして肯定結果が得られた場合は、ステップＳ６０７に進み、該当するオーバーサンプリング画素ブロックの欠陥画素を使用しないための処理を行う。すなわち、以降に行われるオーバーサンプリング処理において、ステップＳ６０３にて選択したオーバーサンプリング画素ブロックについてはそのうちの欠陥画素が使用されないように、データ復調部１３の設定を変更するための処理を行う。
そして続くステップＳ６０８においては、オーバーサンプリング処理の平均化数を欠陥画素の個数分引いた値に変更するための処理を行う。すなわち、同じく先のステップＳ６０３にて選択したオーバーサンプリング画素ブロックについては、以降のオーバーサンプリング処理時においてその平均化のための分母の数が、１オーバーサンプリング画素ブロックの総画素数から欠陥画素の個数を引いた値に変更されるように、データ復調部１３に対する制御を行う。
【０１４９】
これらステップＳ６０７及びステップＳ６０８の処理が行われることで、そのオーバーサンプリング画素ブロックにおいては、以降のオーバーサンプリング処理時に欠陥画素が使用されず、且つその平均化処理がオーバーサンプリング画素ブロックを構成する全画素数から欠陥画素数分を引いた値を分母の数として行われるようになる。そして、これにより、前述もしたように欠陥画素を用いて平均化を行う場合よりも正確な検出を行うことができる。
【０１５０】
ステップＳ６０８の処理を実行すると、先に述べたステップＳ６０９に進み、次対象のオーバーサンプリング画素ブロックがあるか否かについての判別処理が行われる。そして前述もしたようにこのステップＳ６０９にて肯定結果が得られた場合は、処理動作を終了するようにされる。
【０１５１】
５．変形例
以上、本発明の実施の形態について説明したが、本発明としてはこれまでに説明した実施の形態に限定されるべきものではない。
例えば実施の形態では、説明の便宜上、記録側の像欠陥Ｇwとしては対物レンズ４にのみ生じ、再生側の像欠陥Ｇrとしてはエキスパンダレンズ７にのみ生じうるものとして説明したが、前述もしたように、図１１に示した記録再生装置１の構成によれば、記録側の像欠陥Ｇwとしてはコリメータレンズ２、チルトミラー１１においても生じ得る。また再生側の像欠陥Ｇrについては対物レンズ６にも生じ得る。
【０１５２】
このようにして実際にはコリメータレンズ２、チルトミラー１１、対物レンズ６にも像欠陥が生じ得ることから、当然のことながら欠陥Ｄ１又は欠陥Ｄ３と判定されたイメージセンサ８上の画素と同一光軸上には、これらの像欠陥も重なって生じている可能性があることを考慮しなければならない。
但しこの場合、上記コリメータレンズ２の像欠陥は、チルトミラー１１に対し光源側（つまりレーザダイオードＬＤ側）に位置するものとなるので、チルトミラー１１を傾斜させたとしても、当該コリメータレンズ２の像欠陥と上記チルトミラー１１の像欠陥とを切り分けることができないことになる。しかし、実施の形態のように欠陥の発生態様として少なくとも記録側のみ、再生側のみ、記録側と再生側の双方についてのみ特定できればよいとの条件の下では、それらの切り分けが不能であることは特に問題とはならない。つまり、これらコリメータレンズ２の像欠陥、チルトミラー１１の像欠陥は何れも記録側に生じる欠陥に変わりないからである。
【０１５３】
このことを踏まえると、この場合において欠陥発生態様の特定のために各欠陥の有無をイメージセンサ８の検出値を参照して判定するにあっては、
・コリメータレンズ２及びチルトミラー１１の像欠陥、ＳＬＭ１２の画素欠陥、対物レンズ４の像欠陥、対物レンズ６の像欠陥、エキスパンダレンズ７の像欠陥の各像がイメージセンサ８上の正常な画素に入射
・コリメータレンズ２及びチルトミラー１１の像欠陥、ＳＬＭ１２の画素欠陥、対物レンズ４の像欠陥、対物レンズ６の像欠陥、エキスパンダレンズ７の像欠陥の各像がイメージセンサ８上の同一画素に重ならないように入射
・コリメータレンズ２及びチルトミラー１１の像欠陥、ＳＬＭ１２の画素欠陥、対物レンズ４の像欠陥、対物レンズ６の像欠陥、エキスパンダレンズ７の像欠陥の各像が傾斜後の同一光軸上で重ならないようにイメージセンサ８に入射
の条件を満たすようにしてチルトミラー１１を傾斜させればよい。
【０１５４】
ここで、この場合も欠陥Ｄ３（「１，１，１」）と判定された場合は、イメージセンサ８の画素欠陥（bit１で固定）は確定なので、記録側の欠陥も生じているか否かについて判定を行えば足る。つまり、ＳＬＭ１２の画素欠陥の有無、コリメータレンズ２及びチルトミラー１１の像欠陥の有無、対物レンズ４の像欠陥の有無をそれぞれ判定する。
これら何れかの欠陥があれば、記録側の欠陥も生じていたものであり、記録側と再生側の双方の欠陥であることを特定できる。またこれらの何れの欠陥もなければ、再生側のみの欠陥であったことを特定できる。
【０１５５】
また、欠陥Ｄ１（「０，０，０」）と判定された場合は、欠陥発生態様として記録側のみ／再生側のみ／記録側と再生側の双方の全てが考えられ得る。
従って、この場合としても、生じうる全ての欠陥の有無（この場合はコリメータレンズ２及びチルトミラー１１の像欠陥、ＳＬＭ１２の画素欠陥、対物レンズ４の像欠陥、対物レンズ６の像欠陥、エキスパンダレンズ７の像欠陥、イメージセンサ８の画素欠陥の有無）について判定を行う。
これらの判定結果より、コリメータレンズ２及びチルトミラー１１の像欠陥とＳＬＭ１２の画素欠陥と対物レンズ４の像欠陥がなく、イメージセンサ８の画素欠陥とエキスパンダレンズ７の像欠陥と対物レンズ６の像欠陥のうち少なくとも何れかがあった場合は、再生側の欠陥のみであったことを特定することができる。
また、逆にイメージセンサ８の画素欠陥とエキスパンダレンズ７の像欠陥と対物レンズ６の像欠陥がなく、コリメータレンズ２及びチルトミラー１１の像欠陥とＳＬＭ１２の画素欠陥と対物レンズ４の像欠陥のうち少なくとも何れかがあった場合は、記録側の欠陥のみであったことを特定することができる。
さらに、コリメータレンズ２及びチルトミラー１１の像欠陥とＳＬＭ１２の画素欠陥と対物レンズ４の像欠陥のうち少なくとも何れかと、イメージセンサ８の画素欠陥とエキスパンダレンズ７の像欠陥と対物レンズ６の像欠陥のうち少なくとも何れかがあった場合には、記録側と再生側の双方の欠陥であったことを特定することができる。
このようにして欠陥Ｄ１と判定された場合に対応して、発生する可能性のあった再生側のみ、記録側のみ、記録側と再生側の双方の各欠陥の別を特定することができる。
【０１５６】
以上のようにコリメータレンズ２、チルトミラー１１、対物レンズ６にも像欠陥が生じる可能性があるとした場合にも、欠陥Ｄ１、欠陥Ｄ３とされた画素について、同一光軸上に生じている欠陥の発生態様の別を適正に特定することができる。
【０１５７】
また、実施の形態では、記録再生装置１が透過型のホログラム記録媒体５に対応する構成を採る場合を例示したが、反射型のホログラム記録媒体に対応した構成とすることもできる。
例えば図２２では、このような反射型ホログラム記録媒体２１に対応する場合の記録再生装置の構成例について示している。なお、この図において、既に図１１にて説明した部分と同様となる部分については同一符号を付している。
【０１５８】
先ず、この場合の記録再生装置としては、反射型ホログラム記録媒体２１に対応するために、ＰＢＳ（偏光ビームスプリッタ）２０が追加される。このＰＢＳ２０は、図示するようにしてレーザダイオードＬＤ→コリメータレンズ２→チルトミラー１１→ＳＬＭ１２を介して入射されるレーザ光については透過して、これを対物レンズ４側に導くように構成される。また、以下で説明するようにして反射型ホログラム記録媒体２１から上記対物レンズ４を介して得られる反射光としての回折光についてはこれを反射することで、エキスパンダレンズ７・イメージセンサ８側に導くように構成される。
【０１５９】
ここで、反射型ホログラム記録媒体２１としては、例えば記録データとしての干渉縞が形成される記録膜より下層に反射膜が設けられ、上記対物レンズ４を介して記録膜に対しレーザ光が照射されることに応じて得られる回折光が、記録膜を透過して上記反射膜にて反射されるようになっている。そしてこのようにして得られた反射光としての回折光が、再度対物レンズ４に入射するようにされている。
なお、この場合の記録再生装置においてもデータ復調部１３、データ変調部１４、システムコントローラ１５が備えられているが、これらの構成は図１１において説明したものと同様となるので改めての説明は省略する。
【０１６０】
このような反射型ホログラム記録媒体２１に対応する構成とされる場合、生じうる欠陥としては、ＳＬＭ１２の画素欠陥、イメージセンサ８の画素欠陥に加え、コリメータレンズ２及びチルトミラー１１、ＰＢＳ２０、対物レンズ４、エキスパンダレンズ７における像欠陥となる。
但し、ここで注意すべきは、図２２に示す構成において対物レンズ４に像欠陥が生じた場合は、記録側と再生側の双方の欠陥となることである。また、ＰＢＳ２０に生じる像欠陥としては、２通りが考えられる。すなわち、ＰＢＳ２０においてＳＬＭ１２側からのレーザ光の入射面側に生じた像欠陥は記録側の欠陥となり、また対物レンズ４側からの反射光の入射面側に生じた像欠陥は再生側の欠陥となるものである。
【０１６１】
これによると、この場合において記録側の欠陥としては、コリメータレンズ２及びチルトミラー１１の像欠陥、ＳＬＭ１２の画素欠陥、ＰＢＳ２０の像欠陥（ＳＬＭ１２側の面）、対物レンズ４の像欠陥を分類できる。
また、再生側の欠陥としては、対物レンズ４の像欠陥、ＰＢＳ２０の像欠陥（対物レンズ４側の面）、エキスパンダレンズ７の像欠陥、イメージセンサ８の画素欠陥を分類できる。
【０１６２】
このことを踏まえると、この場合、チルトミラー１１の傾斜により各欠陥の有無を判定するにあたっては、
・コリメータレンズ２及びチルトミラー１１の像欠陥、ＳＬＭ１２の画素欠陥、ＰＢＳ２０の像欠陥（ＳＬＭ１２側の面）、ＰＢＳ２０の像欠陥（対物レンズ４側の面）、対物レンズ４の像欠陥、エキスパンダレンズ７の像欠陥の各像がイメージセンサ８上の正常な画素に入射
・コリメータレンズ２及びチルトミラー１１の像欠陥、ＳＬＭ１２の画素欠陥、ＰＢＳ２０の像欠陥（ＳＬＭ１２側の面）、ＰＢＳ２０の像欠陥（対物レンズ４側の面）、対物レンズ４の像欠陥、エキスパンダレンズ７の像欠陥の各像がイメージセンサ８上の同一画素に重ならないように入射
・コリメータレンズ２及びチルトミラー１１の像欠陥、ＳＬＭ１２の画素欠陥、ＰＢＳ２０の像欠陥（ＳＬＭ１２側の面）、ＰＢＳ２０の像欠陥（対物レンズ４側の面）、対物レンズ４の像欠陥、エキスパンダレンズ７の像欠陥の各像が傾斜後の同一光軸上で重ならないようにイメージセンサ８に入射
の条件が満たされるようにその傾斜角度を制御することになる。これにより、イメージセンサ８上の移動後におけるこれらコリメータレンズ２及びチルトミラー１１の像欠陥、ＳＬＭ１２の画素欠陥、ＰＢＳ２０の像欠陥（ＳＬＭ１２側の面）、ＰＢＳ２０の像欠陥（対物レンズ４側の面）、対物レンズ４の像欠陥、エキスパンダレンズ７の像欠陥の各像が入射する画素と、欠陥有りと判定されたイメージセンサ８上の画素とについて、それぞれ個別に判定を行うことが可能となり、これによって各欠陥の有無を判定することができる。
【０１６３】
具体的に、この場合も欠陥Ｄ３と判定された画素については、イメージセンサ８がbit１で固定となる欠陥は確定となるので、記録側の欠陥があるか否かについて判定を行えばよい。つまりこの場合の欠陥Ｄ３とされた画素については、コリメータレンズ２及びチルトミラー１１の像欠陥、ＳＬＭ１２の画素欠陥、ＰＢＳ２０の像欠陥（ＳＬＭ１２側の面）、対物レンズ４の像欠陥の各有無を判定した結果に基づき、記録側の欠陥も生じているか否か、つまりは再生側の欠陥のみか或いは記録側と再生側の双方の欠陥であるかを特定することになる。
一方で欠陥Ｄ１と判定された画素については、この場合も欠陥発生態様としては記録側のみ、再生側のみ、記録側と再生側の双方があり得る。従って欠陥Ｄ１と判定された画素については、上述の欠陥の全ての有無についてそれぞれ判定を行い、その結果に基づき欠陥発生態様を特定することになる。
なお、この場合の各欠陥の有無に基づく欠陥発生態様の特定として、先にも述べたように対物レンズ４の像欠陥があると判定された場合は、記録側と再生側の双方の欠陥となる。
【０１６４】
ここで、前述もしたように、本例の欠陥判定動作を行うにあたっては、ホログラム記録媒体として検査用の媒体を用いることが好ましいものとなるが、上記のような反射型ホログラム記録媒体２１の場合、ＳＬＭ１２で変調された光を媒体で反射してイメージセンサ８で検出することになるので、その反射率としては判定のための十分かつ安定な検出値が得られるように、比較的高くされることが好ましいものとなる。すなわち、図２２に示した記録再生装置における欠陥判定動作のために用いられる検査用の反射型ホログラム記録媒体については、通常より反射率の高い反射膜を有するようにされることが好ましい。或いは、必ずしも記録媒体である必要はなく、単に比較的高反射率の材質で構成された媒体とすることもできる。
【０１６５】
また、実施の形態では、判定動作の迅速化を図るべく、先の図１２（ｂ）に示したような生じ得る検出値パターンを元に、bit１の変調時の検出値のみに基づいて欠陥Ｄ１画素を判定し、またbit１／bit０の変調時の検出値のみに基づいて欠陥なしであることを判定するものとした。
しかしながら、このような判定動作の迅速化を考慮しないとした場合等には、全画素についてbit１／bit０の変調時、及びレーザダイオードＬＤオフ時の検出値をそれぞれ取得して検出値パターンを得た上で、そのパターンに応じて正常画素、ＳＬＭ１２の画素欠陥が生じている画素、欠陥Ｄ３画素、欠陥Ｄ１画素を判定するように構成することもできる。
【図面の簡単な説明】
【０１６６】
【図１】実施の形態としてのホログラム記録再生方式と同様の方式を採る従来の記録再生装置の基本構成を示した図である。
【図２】ホログラム記録媒体への記録手法ついて説明するための図である。
【図３】ホログラム記録媒体の再生手法について説明するための図である。
【図４】オーバーサンプリング処理について説明するための図である。
【図５】ＳＬＭの画素欠陥が与える影響について説明するための図である。
【図６】イメージセンサの画素欠陥が与える影響について説明するための図である。
【図７】光学系起因の像欠陥が与える影響について説明するための図として、図１に示した光学系の構成を示した図である。
【図８】光学系起因の像欠陥により信号光部分に悪影響を与える可能性のあることについて説明するための図である。
【図９】同一光軸上に生じたＳＬＭの画素欠陥、記録側の像欠陥、再生側の像欠陥の各像と、イメージセンサの画素欠陥とをそれぞれ個別に示した図である。
【図１０】同一光軸上に生じたＳＬＭの画素欠陥、記録側の像欠陥、再生側の像欠陥の各像と、イメージセンサの画素欠陥とを重ねて示した図である。
【図１１】実施の形態としての記録再生装置の構成を示した図である。
【図１２】ＳＬＭ、ホログラム記録媒体、イメージセンサ、記録側の像欠陥、再生側の像欠陥の位置関係と、想定し得る検出値パターンについて示した図である。
【図１３】チルトミラーの傾斜に伴う光軸の傾斜角度変化を模式的に示した図である。
【図１４】チルトミラーの傾斜により各欠陥の像がイメージセンサ上で移動した様子を模式的に示した図である。
【図１５】チルトミラーの傾斜角度に応じた各像のイメージセンサ上での移動量について示した図である。
【図１６】実施の形態としての欠陥判定動作を実現するために行われるべき処理動作として、欠陥画素の有無判定と欠陥Ｄ１画素及び欠陥Ｄ２画素の判定に対応して行われるべき処理動作について示したフローチャートである。
【図１７】実施の形態としての欠陥判定動作を実現するために行われるべき処理動作として、欠陥Ｄ２画素についてレーザダイオードＬＤをオフとした再検出により欠陥Ｄ３画素との切り分けを行う際に対応して行われるべき処理動作について示したフローチャートである。
【図１８】実施の形態としての欠陥判定動作を実現するために行われるべき処理動作として、欠陥Ｄ１画素、欠陥Ｄ３画素について行われる各欠陥の有無判定のための再検出動作に対応して行われるべき処理動作について示したフローチャートである。
【図１９】実施の形態としての欠陥判定動作を実現するために行われるべき処理動作として、図１８に示す処理により得られた再検出結果に基づき欠陥Ｄ１画素について各欠陥の有無判定を行う際の処理動作を示したフローチャートである。
【図２０】実施の形態としての欠陥判定動作を実現するために行われるべき処理動作として、図１８に示す処理動作により得られた再検出結果に基づき欠陥Ｄ３画素について各欠陥の有無判定を行う際の処理動作を示したフローチャートである。
【図２１】再生側の欠陥がある場合に応じてオーバーサンプリング処理の設定を変更する動作に対応して行われるべき処理動作について示したフローチャートである。
【図２２】実施の形態の変形例としての記録再生装置の構成について示した図である。
【符号の説明】
【０１６７】
１  記録再生装置、２  コリメータレンズ、４、６  対物レンズ、５  ホログラム記録媒体、７  エキスパンダレンズ、８  イメージセンサ、１１  チルトミラー、１２  ＳＬＭ（空間光変調器）、１３  データ復調部、１４  データ変調部、１５  システムコントローラ、ＬＤ  レーザダイオード、２０  ＰＢＳ（偏光ビームスプリッタ）、２１  反射型ホログラム記録媒体
【図１】
0004544164.tif 000002
【図２】
0004544164.tif 000003
【図３】
0004544164.tif 000004
【図４】
0004544164.tif 000005
【図５】
0004544164.tif 000006
【図６】
0004544164.tif 000007
【図７】
0004544164.tif 000008
【図８】
0004544164.tif 000009
【図９】
0004544164.tif 000010
【図１０】
0004544164.tif 000011
【図１１】
0004544164.tif 000012
【図１２】
0004544164.tif 000013
【図１３】
0004544164.tif 000014
【図１４】
0004544164.tif 000015
【図１５】
0004544164.tif 000016
【図１６】
0004544164.tif 000017
【図１７】
0004544164.tif 000018
【図１８】
0004544164.tif 000019
【図１９】
0004544164.tif 000020
【図２０】
0004544164.tif 000021
【図２１】
0004544164.tif 000022
【図２２】
0004544164.tif 000023